(57)【要約】【課題】複数の表示装置を切り換えて画像の拡大表示を行う際に良好な使用感を得ることのできる画像拡大倍率指示装置を備えた撮像装置を提供する。【解決手段】画像を所定の拡大倍率で拡大して又は拡大せずに送出する画像送出部（１２８）と、画像送出先を切り換える画像送出先切換部（１１１ｙ，１１０，１２０）と、送出対象とする画像の変更を指示する送出画像変更部（１１１ｈ，１１１ｃ，１１１ｉ，１２０）と、送出対象とする画像の変更又は画像送出先の切り換えに応じて第１拡大倍率を第２拡大倍率へ変更して当該拡大倍率を指示する拡大倍率指示部（１２０）とを有する。【選択図】図２
2020010117.tif 000002
【特許請求の範囲】
【請求項１】
画像拡大倍率指示装置であって、
画像を所定の拡大倍率で拡大して又は拡大せずに送出する画像送出部と、
画像送出先を切り換える画像送出先切換部と、
送出対象とする画像の変更を指示する送出画像変更部と、
送出対象とする画像の変更又は画像送出先の切り換えに応じて第１拡大倍率を第２拡大倍率へ変更して当該拡大倍率を指示する拡大倍率指示部と、
を有することを特徴とする画像拡大倍率指示装置。
【請求項２】
上記拡大倍率指示部は、上記第２拡大倍率に含まれる複数の拡大倍率の中から上記第１拡大倍率に対応する一つの拡大倍率を選択することを特徴とする請求項１に記載の画像拡大倍率指示装置。
【請求項３】
上記第１拡大倍率はピクセル等倍とする拡大倍率であることを特徴とする請求項１に記載の画像拡大倍率指示装置。
【請求項４】
画像を取得する取得部と、
互いに異なる表示画素数からなり、上記画像送出部から送出された画像を受けて当該画像を表示する複数の表示部と、
上記第２拡大倍率を指示する拡大倍率変更操作部と、
請求項１〜請求項３のいずれか一項に記載の画像拡大倍率指示装置と、
を有することを特徴とする撮像装置。
【請求項５】
上記取得部は、撮像部，画像記録部，画像通信部のうちの少なくとも一つであることを特徴とする請求項４に記載の撮像装置。
【請求項６】
拡大した画像の送出中は拡大倍率の指示を禁止することを特徴とする請求項１に記載の画像拡大倍率指示装置。
【請求項７】
拡大した画像の送出中であり且つ送出対象画像を変更する際は、拡大倍率の指示を禁止することを特徴とする請求項１に記載の画像拡大倍率指示装置。
【請求項８】
上記第１拡大倍率を指示した際は、拡大倍率の指示を禁止することを特徴とする請求項１に記載の画像拡大倍率指示装置。
【請求項９】
警告部を更に有し、
上記警告部は上記第１拡大倍率であることを警告するか又は上記第１拡大倍率よりも大きい拡大倍率であることを警告することを特徴とする請求項１に記載の画像拡大倍率指示装置。
【請求項１０】
画像拡大倍率指示装置であって、
画像を所定の拡大倍率で拡大して又は拡大せずに送出する画像送出部と、
画像送出先を切り換える画像送出先切換部と、
送出対象とする画像の変更を指示する送出画像変更部と、
送出対象とする画像の変更に応じて、第１拡大倍率を第２拡大倍率へ変更して当該拡大倍率を指示する拡大倍率指示部と、
を有することを特徴とする画像拡大倍率指示装置。
【請求項１１】
互いに異なる表示画素数からなり、送出された画像を表示する複数の表示部を更に有し、
上記拡大倍率指示部は、上記複数の表示部の内、一つの表示部の表示画素数に応じて拡大倍率を指示することを特徴とする請求項１０に記載の画像拡大倍率指示装置。
【請求項１２】
上記拡大倍率指示部は、上記複数の表示部の内、上記複数の表示部の表示画素数の平均値，中央値，重心値のうちの少なくとも一つに応じて拡大倍率を指示することを特徴とする請求項１１に記載の画像拡大倍率指示装置。
【請求項１３】
画像拡大倍率指示装置であって、
互いに異なる画素数を持つ複数の画像を一組みとして取得する取得部と、
画像を拡大して又は拡大しないで送出する画像送出部と、
画像送出先を切り換える画像送出先切換部と、
送出する画像の変更を指示する送出画像変更部と、
前記一組みの画像の内最も画素数の多い画像に応じて、且つ送出する画像の変更又は画像送出先の切り換えに応じて、第１拡大倍率を第２拡大倍率へ変更して拡大倍率を指示する拡大倍率指示部と、
を有することを特徴とする画像拡大倍率指示装置。
【請求項１４】
上記複数画像組みの内少なくとも一つはＪＰＥＧ画像であり、少なくとも一つはＲＡＷ画像であることを特徴とする請求項１３に記載の画像拡大倍率指示装置。
【請求項１５】
複数画像組みの内少なくとも一つを記録する第１記録部と、残りを記録する第２記録部とからなる画像記録部を更に有することを特徴とする請求項１３に記載の画像拡大倍率指示装置。
【請求項１６】
画像拡大倍率指示装置であって、
動画像を取得する動画像取得部と、
画像を取得する取得部と、画像を拡大して又は拡大しないで送出する画像送出部と、
動画像と画像の少なくとも一方を送出する送出先を切り換える画像送出先切換部と、
送出先の切り換えに応じて、一方の送出先に対しては第１拡大倍率を第２拡大倍率へ変更して拡大倍率を指示し、他方の送出先に対しては画像の送出を停止して動画像を送出する拡大倍率指示部と、
を有することを特徴とする画像拡大倍率指示装置。
【請求項１７】
互いに異なる画素数からなり、送出された動画像又は画像を表示する第１表示部及び第２表示部と、
第２拡大倍率を指示する拡大倍率変更操作部と、
を更に有することを特徴とする請求項１６に記載の画像拡大倍率指示装置。
【請求項１８】
上記拡大倍率指示部は、上記第１表示部が画像を表示中に上記画像送出先切換部が上記第２表示部へ切り換えた際、画像の送出を停止して、動画像を送出することを特徴とする請求項１６に記載の画像拡大倍率指示装置。
【発明の詳細な説明】
【技術分野】
【０００１】
この発明は、取得した画像データに基く画像を拡大表示する際に、状況（画像データの画素数や表示先装置の表示画素数）に応じた拡大倍率を指示する画像拡大倍率指示装置と、この画像拡大倍率指示装置を備えた撮像装置に関するものである。
【背景技術】
【０００２】
従来、撮像光学系により結像された光学像を撮像素子等を用いて順次画像信号に変換し、これにより得られた画像信号に基く画像を表示装置を用いて順次連続的に表示するライブビュー機能を備え、撮像指示信号が発生した時には、その指示信号の発生時点若しくは当該指示信号の発生前後の所定期間における画像信号を取得し、これを記録用画像データに変換して記憶媒体に記録する記録機能を有すると共に、表示指示信号が発生した時には、記憶媒体に記録済みの画像データに基く画像を表示装置に表示し得る表示機能を有して構成されたデジタルカメラ等の撮像装置が一般に実用化され、広く普及している。
【０００３】
この種の従来の撮像装置においては、例えば撮像動作を実行した後、即座に再生（表示）動作を実行して、記録したばかりの画像の確認（例えば構図やピント又はブレ具合，露出，ホワイトバランス等の撮像結果のチェック）を行うといった使い方がなされることがある。
【０００４】
この場合において、表示装置の表示パネルに画像が表示されているとき、所定の操作部材の一回の操作を行うだけで、予め指定された所定の拡大倍率若しくはピクセル等倍又はそれに近い拡大倍率で、所定の領域（例えば撮像動作時に設定したＡＦ領域若しくは任意に指定される位置を含む所定の領域）の画像を拡大して表示することができるようにした（いわゆるワンプッシュピクセル等倍機能を備えた）撮像装置が、例えば特許第３５３４１０１号公報等によって種々提案され、また実用化されている。
【０００５】
なお、ここで、ピクセル等倍表示とは、表示装置の表示領域に画像データに基く画像を再生（表示）する際の表示形態の一つである。ピクセル等倍表示では、画像データの１ピクセル（画素）を、表示装置の１ドットに対応させて表示する方式（いわゆるドットバイドット（dot by dot）などと呼ばれる）の表示形態をいう。
【０００６】
また、「拡大倍率」とは再生装置における再生領域の全域にわたって画像全体を表示した状態に対する「拡大比率」をいうものとする。
【０００７】
すなわち、「画像を拡大して表示する」とは、例えば「画像の一部の領域を拡大して所定の表示領域の全域を用いて表示する」ことをいうものとする。
【０００８】
そして、「画像を拡大しない」場合とは、再生装置の表示領域の全域を用いて画像データの画像全体を表示する形態であり、いわゆる「１コマ表示」と呼ばれる表示形態が相当する。
【０００９】
上記特許第３５３４１０１号公報等によって開示されている撮像装置は、撮像動作によって取得した画像データに基く画像を、所定の操作部材の一回操作で、表示装置の表示パネルの表示画素数に対応したピクセル等倍の拡大倍率による拡大表示を行うことができるように構成されている。
【００１０】
また、上記特許第３５３４１０１号公報等によって開示されている撮像装置では、撮像画像サイズ（縦・横の画素数）を変更して設定することができるように構成されている。したがって、撮像動作直後に拡大表示を行う際には、設定されている撮像画像サイズに応じて予め設定されている拡大倍率での拡大表示が行われるように構成されている。
【００１１】
ところで、この種の撮像装置においては、近年、複数（例えば２つ）の表示装置を同時に備えたものが実用化され一般に普及しつつある。
【００１２】
この種の撮像装置における表示装置の一形態は、例えば撮像装置の背面部に固定若しくは可動自在に設けられ、比較的大型の（例えば３型程度の）表示パネルを備えたいわゆる背面モニターと呼ばれる表示装置がある。また、同撮像装置における表示装置の他の形態としては、例えば比較的小型の（例えば０．５型程度の）表示パネルを備え、拡大光学系を介して覗き込む形態に構成されたいわゆる電子ビューファインダー（electronic viewfinder；ＥＶＦ）と呼ばれる表示装置がある。
【００１３】
このような形態、即ち複数（例えば２種）の表示装置を備えた撮像装置においては、いずれの表示装置を用いても、ライブビュー画像や記録済みの画像を略同様の形態で表示することができるように構成されている。そして、通常の場合、これら２種の表示装置のうちのいずれか一方の表示装置に、適宜切り換えて使用される。
【先行技術文献】
【特許文献】
【００１４】
【特許文献１】特許第３５３４１０１号公報
【発明の概要】
【発明が解決しようとする課題】
【００１５】
ところが、複数の表示装置を具備する撮像装置においては、これら複数の表示装置に用いられる各表示パネルの仕様（例えば表示画素数やアスペクト比等）が異なるものが適用される場合がおうおうにしてある。例えば、ある目視距離をとって直接的に目視する背面モニターに対して接眼拡大光学系を覗くことが前提のＥＶＦではその最適な表示画素数は大きく異なる。また画面へのタッチ操作を可能とする背面モニターと、そのような前提のないＥＶＦでは、その表示装置のアスペクト比が異なる場合があり、これによっても表示画素数が異なってしまう。
【００１６】
この場合、ある任意の画像を対象としてピクセル等倍の拡大表示を行う場合、一方の表示装置でピクセル等倍表示を行うための拡大倍率と、他方の表示装置でピクセル等倍表示を行うための拡大倍率とが著しく異なることになる。
【００１７】
このために、例えば、ユーザーが目的の画像を拡大表示してピント確認しようとする際に、ピクセル等倍で拡大すると、背面モニターかＥＶＦか、ユーザーが見る表示装置によって拡大されて表示される画像が異なって見えてしまう。
【００１８】
つまり、ユーザーがピント確認に適した拡大倍率で確認しようとしているにも関わらず、表示装置を切り換えることによって見え具合が異なってしまうことになる。このことは、撮像装置の動作に対する違和感や不安感などを、使用者（ユーザ）に持たせてしまうという問題が生じる。
【００１９】
したがって、拡大表示中に表示装置を切り換えても違和感を生じさせずに、各表示装置での表示画像の見え具合を揃えるためには、各表示装置の切り換えに対応した拡大倍率の設定が必要になる。このような問題は、表示装置を一つしか持たない撮像装置では起こり得ない問題である。
【００２０】
本発明は、上述した点に鑑みてなされたものであって、その目的とするところは、複数の表示装置を切り換えて画像の拡大表示を行う際に発生する様々な問題点を解決し、良好な使用感を得ることのできる画像拡大倍率指示装置と、この画像拡大倍率指示装置を備えた撮像装置を提供することである。
【課題を解決するための手段】
【００２１】
上記目的を達成するために、本発明の第１の態様の画像拡大倍率指示装置は、画像拡大倍率指示装置であって、画像を所定の拡大倍率で拡大して又は拡大せずに送出する画像送出部と、画像送出先を切り換える画像送出先切換部と、送出対象とする画像の変更を指示する送出画像変更部と、送出対象とする画像の変更又は画像送出先の切り換えに応じて第１拡大倍率を第２拡大倍率へ変更して当該拡大倍率を指示する拡大倍率指示部と、を有する。
【００２２】
本発明の一態様の撮像装置は、画像を取得する取得部と、互いに異なる表示画素数からなり、上記画像送出部から送出された画像を受けて当該画像を表示する複数の表示部と、上記第２拡大倍率を指示する拡大倍率変更操作部と、上記画像拡大倍率指示装置と、を有する。
【００２３】
本発明の第２の態様の画像拡大倍率指示装置は、画像拡大倍率指示装置であって、画像を所定の拡大倍率で拡大して又は拡大せずに送出する画像送出部と、
画像送出先を切り換える画像送出先切換部と、送出対象とする画像の変更を指示する送出画像変更部と、送出対象とする画像の変更に応じて、第１拡大倍率を第２拡大倍率へ変更して当該拡大倍率を指示する拡大倍率指示部と、を有する。
【００２４】
本発明の第３の態様の画像拡大倍率指示装置は、画像拡大倍率指示装置であって、互いに異なる画素数を持つ複数の画像を複数画像組みとして取得する取得部と、
画像を拡大して又は拡大しないで送出する画像送出部と、画像送出先を切り換える画像送出先切換部と、送出する画像の変更を指示する送出画像変更部と、複数画像組みの内最も画素数の多い画像に応じて、且つ送出する画像の変更又は画像送出先の切り換えに応じて、第１拡大倍率を第２拡大倍率へ変更して拡大倍率を指示する拡大倍率指示部と、を有する。
【００２５】
本発明の第４の態様の画像拡大倍率指示装置は、画像拡大倍率指示装置であって、動画像を取得する動画像取得部と、画像を取得する取得部と、画像を拡大して又は拡大しないで送出する画像送出部と、動画像と画像の少なくとも一方を送出する送出先を切り換える画像送出先切換部と、送出先の切り換えに応じて、一方の送出先に対しては第１拡大倍率を第２拡大倍率へ変更して拡大倍率を指示し、他方の送出先に対しては画像の送出を停止して動画像を送出する拡大倍率指示部と、を有する。
【発明の効果】
【００２６】
本発明によれば、複数の表示装置を切り換えて画像の拡大表示を行う際に発生する様々な問題点を解決し、良好な使用感を得ることのできる画像拡大倍率指示装置と、この画像拡大倍率指示装置を備えた撮像装置を提供することができる。
【図面の簡単な説明】
【００２７】
【図１】本発明の一実施形態の画像拡大倍率指示装置を備えた撮像装置の主に背面側の外観を示す外観斜視図
【図２】図１の撮像装置の内部構成の概略を示すブロック構成図
【図３】本発明の一実施形態の撮像装置の基本的なフローチャート（メインルーチン）
【図４】図３のステップＳ３の処理（再生操作フラグ処理）のサブルーチン
【図５】図４のステップＳ２６の処理（拡大倍率退避処理）のサブルーチン
【図６】図４のステップＳ１６の処理（拡大倍率セット処理）のサブルーチン
【図７】図３のステップＳ４の処理（再生状態変更処理）のサブルーチン
【図８】図７のステップＳ５３の処理（１コマ再生処理）のサブルーチン
【図９】図７のステップＳ５４の処理（拡大再生処理）のサブルーチン
【図１０】図９の拡大再生処理の変形例のサブルーチン
【図１１】図１０のステップＳ７７の処理（ピクセル等倍警告処理）のサブルーチン
【図１２】図６のステップＳ４４の処理（ピクセル等倍倍率特定処理）のサブルーチン
【図１３】図１２のステップＳ９４の処理（拡大倍率系列に丸め処理）のサブルーチン
【図１４】図１２のピクセル等倍倍率特定処理の変形例のサブルーチン
【図１５】図１２，図１４のステップＳ９１の処理（拡大再生対象画像サイズチェック処理）のサブルーチン
【図１６】図１５の拡大再生対象画像サイズチェック処理の変形例のサブルーチン
【図１７】図４のステップＳ２８の処理（拡大倍率変更処理）のサブルーチン
【図１８】図４のステップＳ２９の処理（拡大フラグ変更処理）のサブルーチン
【図１９】図４のステップＳ１８の処理（再生装置変更処理）のサブルーチン
【図２０】図１９の再生装置変更処理の第１変形例のサブルーチン
【図２１】図１９の再生装置変更処理の第２変形例のサブルーチン
【図２２】図１９の再生装置変更処理の第３変形例のサブルーチン
【図２３】図１９の再生装置変更処理の第４変形例のサブルーチン
【図２４】図４のステップＳ２１の処理（再生コマ変更処理）のサブルーチン
【図２５】図２４の再生コマ変更処理の第１変形例のサブルーチン
【図２６】図２４の再生コマ変更処理の第２変形例のサブルーチン
【図２７】図２４の再生コマ変更処理の第３変形例のサブルーチン
【図２８】図３のステップＳ８の処理（静止画像撮像処理）のサブルーチン
【図２９】図２８のステップＳ１７９の処理（ＲＡＷ用スクリーンネイル作成処理）のサブルーチン
【図３０】図２９のＲＡＷ用スクリーンネイル作成処理の変形例のサブルーチン
【図３１】再生装置変更フラグセット処理のサブルーチン
【図３２】ピクセル等倍で拡大表示を行う際の拡大倍率値の算出値の一覧表
【図３３】再生モード時の再生表示形態の三態様を示す例示
【図３４】ピクセル等倍アイコン及び警告表示アイコンの表示例
【図３５】図３４のピクセル等倍アイコンの拡大表示例（図３４の符号１０９ｃの拡大表示）
【図３６】図３４の警告表示アイコンの拡大表示例（図３４の符号１０９ｄの拡大表示）
【図３７】警告表示アイコンの拡大表示例の変形例
【発明を実施するための形態】
【００２８】
以下、図示の実施の形態によって本発明を説明する。以下の説明に用いる各図面は模式的に示すものであり、各構成要素を図面上で認識できる程度の大きさで示すために、各部材の寸法関係や縮尺等を構成要素毎に異ならせて示している場合がある。したがって、本発明は、各図面に記載された各構成要素の数量や各構成要素の形状や各構成要素の大きさの比率や各構成要素の相対的な位置関係等に関して、図示の形態のみに限定されるものではない。
【００２９】
本発明の一実施形態は、例えば撮像光学系により結像された光学像を、例えばＣＣＤ（Ｃharge Ｃoupled Ｄevice；電荷結合素子）イメージセンサーやＣＭＯＳ（Ｃomplementary Ｍetal Ｏxide Ｓemiconductor；相補性金属酸化膜半導体）型イメージセンサー等の光電変換素子等（以下、撮像素子という）を用いて順次光電変換し、これにより得られた画像信号を所定の形態の画像データ（例えば静止画像又は動画像を表わすデジタル画像データ）として記憶媒体に記録すると共に、この記憶媒体に記録されたデジタル画像データに基いて静止画像又は動画像（映像）を表示する複数の画像表示装置、例えば液晶表示ディスプレイ（Liquid Crystal Display；ＬＣＤ）や有機エレクトロルミネッセンス（有機ＥＬ；Organic Electro-Luminescence：ＯＥＬ）ディスプレイ等を備えて構成された撮像装置（具体的には例えばデジタルカメラ）に対し、本発明の画像拡大倍率指示装置を適用した例を示している。
【００３０】
なお、本発明の画像拡大倍率指示装置は、複数の表示装置を切り換えて画像の拡大表示を行う際に、各種の設定にしたがって画像の拡大倍率を指示する装置である。
【００３１】
以下に説明する一実施形態では、撮像装置本体に対してレンズ鏡筒ユニットが着脱自在に構成される形態のいわゆるレンズ交換式撮像装置を例示している。しかしながら、本発明を適用し得る撮像装置の形態はレンズ交換式の装置に限られることはない。例えば、撮像装置本体に対してレンズ鏡筒ユニットが一体に固設されて構成される形態のいわゆるレンズ一体式撮像装置に対しても本発明は全く同様に適用することができる。
【００３２】
また、本発明の一実施形態においては、撮像装置の各面について以下のように定義する。撮像装置の使用時において被写体に対向する面を前面というものとする。撮像装置の使用時に使用者が対面する面を背面というものとする。撮像装置に設けられる複数の操作部材のうちシャッターレリーズボタンが配設されている面を上面というものとする。撮像装置の上面に対向する面を底面というものとする。そして、被写体側から撮像装置の前面に向かって見たときの左右両側に配置される面を左側面及び右側面というものとする。この場合の左右の判別は、撮像装置の前面に向かって左側を左とし、同撮像装置の前面に向かって右側を右として区別するものとする。
【００３３】
さらに、本発明の一実施形態において、撮像光学系の光軸を符号Ｏで表すものとする。この光軸Ｏに沿う方向において、撮像装置の前面に設けられる撮像光学系に対向する側（被写体のある側）を前方というものとする。また、光軸Ｏに沿う方向において、撮像光学系を通る光束が出射する側（撮像素子の受光面（結像面）のある側）及び撮像装置の背面に設けられる表示装置の表示面に対向する側を後方というものとする。
【００３４】
なお、以下の説明において、画像データを取り扱う場合の「再生」と言う文言は、「表示」と同義であるものとする。つまり、画像データに基く画像を表示装置を用いて「再生」することは、同画像を表示装置の表示パネルに「表示」することと同じである。また、「再生装置」と「表示装置」とは同義であり、同じ装置を指すものとする。
【００３５】
［実施形態］
図１，図２は、本発明の一実施形態の画像拡大倍率指示装置を備えた撮像装置を示す図である。このうち図１は、本実施形態の撮像装置の主に背面側の外観を示す外観斜視図である。図２は、本実施形態の撮像装置の内部構成の概略を示すブロック構成図である。
【００３６】
図１，図２に示すように、本実施形態の撮像装置１００は、ボディ２００と、レンズ鏡筒３００とによって主に構成されている。
【００３７】
ボディ２００は、全体として略矩形状からなり内部空間を有する箱体である。このボディ２００の内部空間には、各種の構成ユニットが収納されている。また、ボディ２００の外表面には、複数の操作部材が具備されている。
【００３８】
一方、ボディ２００の背面には、第１表示部である背面モニター１０８が設けられている。また、ボディ２００の上面略中央部分には、第２表示部である電子ビューファインダー１０９（以下、ＥＶＦ１０９と略記する）が配設されている。なお、本実施形態の撮像装置１００においては、複数（２つ）の表示装置（１０８，１０９）は、互いに異なる表示画素数からなり、画像送出部（後述）から送出された画像を受けて、当該画像を表示するデバイスである。
【００３９】
そして、ボディ２００の前面にはレンズ鏡筒３００が着脱自在に設けられている。
【００４０】
ボディ２００の外表面に設けられる複数の操作部材としては、例えば押しボタン式操作部材や回転操作式操作部材等、各種の形態の操作部材が適用されている。具体的には、例えば、ボディ２００の上面には、シャッターレリーズボタン１１１ａ，動作モード切換ダイヤル１１１ｂ，複数の操作ダイヤル１１１ｃ，１１１ｉ，電源スイッチ１１１ｄ，拡大ボタン１１１ｘ等がある。また、ボディ２００の背面には、消去ボタン１１１ｅ，再生ボタン１１１ｆ，確認（ＯＫ）ボタン１１１ｇ，十字ボタン１１１ｈ，メニューボタン１１１ｋ，情報表示（ＩＮＦＯ）ボタン１１１ｍ等がある。さらに、ボディ２００の上面に設けられているＥＶＦ１０９（第２表示部）の近傍には、モニタ切換ボタン１１１ｙが設けられている。また、特に図示を省略しているが、背面モニター１０８の表示パネルの表面上に設けられるタッチパネル（不図示）も、操作部材として含まれる。
【００４１】
これら複数の操作部材については、従来一般的に普及している撮像装置に適用されているものと略同様の構成及び機能を有しているものである。したがって、個々の操作部材の詳細説明は省略する。なお、これら複数の操作部材のうち、本発明に特に関連するものとしては、拡大ボタン１１１ｘと、モニタ切換ボタン１１１ｙと、再生ボタン１１１ｆと、十字ボタン１１１ｈ等である。
【００４２】
拡大ボタン１１１ｘは、表示装置（１０８，１０９）を用いて画像の表示を行っているときに操作することで、表示中の画像の拡大操作などを行う操作部材である。
【００４３】
モニタ切換ボタン１１１ｙは、２つの表示装置（１０８，１０９）の切り換えを行うための切り換え操作部材である。モニタ切換ボタン１１１ｙを操作すると、不図示の切り換えスイッチが作用してモニタ切換指示信号が発生し、このモニタ切換指示信号は、システム制御部１２０へと伝達される。これを受けてシステム制御部１２０は、２つの表示装置の切り換え制御を行う。つまり、これにより、モニタ切換ボタン１１１ｙ及びシステム制御部１２０は、画像送出先（再生装置，表示装置）を切り換える制御を行う画像送出先切換部として機能する。
【００４４】
再生ボタン１１１ｆは、当該撮像装置１００の動作モードのうち撮像モードと再生モードとを切り換えるための操作部材である。例えば、当該撮像装置１００が撮像モードで動作中に操作すると再生モードに切り換わる。また、当該撮像装置１００が再生モードで動作中に操作すると撮像モードに切り換わる。
【００４５】
十字ボタン１１１ｈは、上下左右の四つのボタン部を有し、例えば左右ボタンは、再生モード時の表示画像変更操作（コマ送り操作やコマ戻し操作）に用いられる。また、再生モードで画像拡大表示中には、上下左右ボタンは、拡大枠を左右に移動する操作部材として機能する。そして、設定モード時には、上下左右ボタンは、メニュー一覧項目間の移動操作や選択操作の際の操作部材として用いられる。なお、十字ボタン１１１ｈには、その他の用途もあるが、詳細説明は省略する。
【００４６】
第２表示部であるＥＶＦ１０９は、上述したように、ボディ２００の上面略中央部分に設けられている。この場合において、当該ＥＶＦ１０９の表示パネル（不図示）は、ボディ２００の内部において背面側に向けて配置されている。そのために、ＥＶＦ１０９は、ボディ２００の背面側に向けた開口を有して構成されている。この開口は、内部の表示パネル（不図示）を覗き込む際の覗き窓となる。この覗き窓の近傍には、接眼検出部であるアイセンサ１１０が設けられている。
【００４７】
アイセンサ１１０は、赤外線投光部と赤外線受光部とからなるセンサ素子である。当該アイセンサ１１０は、赤外線投光部から投光された赤外線を赤外線受光部によって受光することで、当該アイセンサ１１０近傍、即ちＥＶＦ１０９の近傍に物体が近付いたか否かを検出するセンサである。そして、このアイセンサ１１０の検出信号は、ＥＶＦ１０９（第２表示装置）と背面モニター１０８（第１表示部）との切り換え制御に利用される。
【００４８】
即ち、具体的には、例えば、撮像装置１００が起動している状態において、使用者（ユーザ）がＥＶＦ１０９を使用するために、覗き窓（開口）に眼（顔）を近付けるとアイセンサ１１０がオン状態になる。
【００４９】
この直前の状態において、例えば、背面モニター１０８を使用している状態であれば、このときのアイセンサ１１０の検出信号を受けて、当該撮像装置１００のシステム制御部１２０（後述する図２参照）は、背面モニター１０８の使用状態をオフにすると同時にＥＶＦ１０９をオンにする。つまり、使用する表示部を切り換える制御を行う。
【００５０】
また、ＥＶＦ１０９を覗いている状態から、使用者（ユーザ）の眼（顔）が覗き窓（開口）から離れるとアイセンサ１１０がオフ状態になる。これにより、撮像装置１００のシステム制御部１２０は、ＥＶＦ１０９の使用状態をオフにすると同時に、背面モニター１０８をオンにして、使用する表示部を切り換える制御を行う。
【００５１】
このように、アイセンサ１１０及びシステム制御部１２０は、画像送出先（再生装置，表示装置）を切り換える制御を行う画像送出先切換部として機能する。
【００５２】
一方、レンズ鏡筒３００は、ボディ２００の前面に設けられ、撮像対象とする被写体の光学像を撮像素子１０４（後述する図２参照）の受光面上に結像させるための構成ユニットである。レンズ鏡筒３００は、全体として略円筒形状からなり内部空間を有する筒型箱体である。このレンズ鏡筒３００の内部空間には、各種の構成ユニットが収納されている。例えば、レンズ鏡筒３００の内部には、図２に示すように、光学レンズ等からなる撮像光学系１０１と、光量調整装置（絞り装置）１０２等のほか、撮像光学系１０１の一部を光軸Ｏに沿う方向に移動させる駆動機構等を有する。なお、レンズ鏡筒３００は、従来一般に普及しているものと略同様の構成を有するものとし、その詳細説明は省略する。
【００５３】
次に、本実施形態の撮像装置１００におけるボディ２００の内部構成（主に電気的な構成）について、図２を用いて、以下に簡単に説明する。
【００５４】
撮像装置１００におけるボディ２００は、液晶絞り装置１０３と、撮像素子１０４と、フラッシュ発光部１０５と、第１外部メモリ１０６（第１記録部）と、第２外部メモリ１０７（第２記録部）と、第１表示部である背面モニター１０８と、第２表示部であるＥＶＦ１０９と、接眼検出部であるアイセンサ１１０と、操作部１１１と、電源部１１２と、フラッシュ充電部１１３等を具備する。
【００５５】
液晶絞り装置１０３は、液晶パネルの光透過率を電気的に制御することで光量調整を行う装置である。そのために、この液晶絞り装置１０３は、レンズ鏡筒３００の撮像光学系１０１の光軸上であって、当該レンズ鏡筒３００の後方側であって、撮像素子１０４の前面側に配設されている。
【００５６】
撮像素子１０４は、撮像光学系１０１によって結像される光学像を受けて光電変換処理を行って画像信号を生成する光電変換素子である。この撮像素子１０４にて生成された画像信号は、後述するようにＡＤ変換部１２６を経て一時メモリ１２７へと伝送されて、この一時メモリ１２７に一時的に記憶される。このように撮像素子１０４は、被写体の画像を取得する取得部として機能する。
【００５７】
フラッシュ発光部１０５は、被写体に向けて照明光を発光させる閃光発光部を備えた閃光発光装置である。
【００５８】
第１外部メモリ１０６及び第２外部メモリ１０７は、撮像素子１０４によって生成された画像信号に基づいて作成される所定の形態の記録用画像データを記録するための外部記憶媒体である。この記憶媒体は、例えば撮像装置１００に対して着脱自在に構成される形態で、内部に半導体メモリ等を備え、全体としてカード形状に形成された形態のいわゆるメモリカード等と呼ばれるカード型記憶媒体が適用される。本実施形態の撮像装置においては、略同仕様のカードスロットを二つ設け、二枚の外部メモリを同時に装着することができるように構成されている（いわゆるダブルスロット構造）。
【００５９】
そして、二つのカードスロットのそれぞれに適応するメモリカード（記憶媒体）を装着して当該撮像装置１００を使用するとき、例えば画質モードとして「ＲＡＷ＋ＪＰＥＧ」モードに設定したときには、一方の第１外部メモリ１０６にはＪＰＥＧ画像データを記録し、他方の第２外部メモリ１０７にＲＡＷ画像データを記録するといったことができる（設定による）。また、二つのカードスロットのそれぞれに装着されたメモリカード（記憶媒体）に対して、同じ内容の記録をそれぞれに行うようにすることもできる。
【００６０】
また、これらの第１外部メモリ１０６及び第２外部メモリ１０７に記憶された画像データは、使用者（ユーザ）の操作に応じて、システム制御部１２０の制御により、適宜、一時メモリ１２７等に読み出されて、所定の形態の画像信号に変換された後、例えば表示装置（１０８，１０９）へと送られて画像が表示される。この場合において、第１外部メモリ１０６及び第２外部メモリ１０７やシステム制御部１２０は、画像を取得する取得部として機能する。なお、本実施形態の撮像装置１００においては、図示を省略しているが、画像を取得する取得部の他の構成例としては、例えば、他の外部機器との間で通信を行って画像データを取得する通信部を設けてもよい。
【００６１】
第１表示部である背面モニター１０８は、例えば撮像装置１００の背面部に固定若しくは可動自在に設けられる表示装置である。この背面モニター１０８は、例えば３型程度の比較的大型の表示パネルを備えた表示装置である。この背面モニター１０８には、撮像素子１０４によって取得された画像信号に基く画像を連続的に表示するライブビュー画像表示や、記憶媒体に記録済みの画像データに基く画像を表示することができる。同時に、この画像表示の際には、表示中の画像の画像データに付随する各種の情報を文字，アイコン等によって表示画像重畳させて若しくは並べる等、各種の形態で表示することができる。さらに、これらの表示以外にも、背面モニター１０８は、当該撮像装置１００の各種の設定を行うための各種の項目を一覧形式などによって表示するいわゆるメニュー表示を行うことができる。
【００６２】
第２表示部であるＥＶＦ１０９は、例えば撮像装置１００のボディ２００の上面略中央部分等に設けられる表示装置である。このＥＶＦ１０９は、例えば０．５型程度の比較的小型の表示パネルを備え、拡大光学系（不図示）を介して覗き込む形態に構成された表示装置がある。
【００６３】
なお、ＥＶＦ１０９は、本例では、撮像装置１００の上面略中央部分等に設けた例を示しているがこの例に限られることはない。ＥＶＦ１０９は、例えば、撮像装置１００のボディ２００の上面左寄りの一隅などに設けてもよい。
【００６４】
接眼検出部であるアイセンサ１１０は、上述したように、ＥＶＦ１０９への使用者（ユーザ）による接眼状態を検出するセンサである。このアイセンサ１１０の検出信号を受けて、当該撮像装置１００のシステム制御部１２０（後述する）は、背面モニター１０８及びＥＶＦ１０９のオンオフ制御を行って、使用する表示装置を切り換える。
【００６５】
操作部１１１は、上述した複数の操作部材（図１参照；１１１ａ，１１１ｂ，１１１ｃ，１１１ｉ，１１１ｄ，１１１ｘ，消去ボタン１１１ｅ，再生ボタン１１１ｆ，確認（ＯＫ）ボタン１１１ｇ，１１１ｈ，１１１ｋ，１１１ｍ，１１１ｙ等）にそれぞれ対応する電気部品と電気回路である。この操作部１１１から出力される操作信号は、後述するシステム制御部１２０へと出力される。これを受けて、当該システム制御部１２０は、対応する制御信号を発生させる。
【００６６】
電源部１１２は、バッテリ若しくは外部商用電源からケーブル接続によって供給される電力を受けて、本撮像装置１００の各構成ユニットに対し、後述する電源制御部１３２の制御下で、適宜必要な電力を供給する構成ユニットである。
【００６７】
フラッシュ充電部１１３は、フラッシュ発光部１０５への電力を供給する電源部であり、例えば乾電池やリチウム電池等の二次電池（バッテ）を含む構成ユニットである。
【００６８】
また、ボディ２００内には、上記各種の構成ユニットをそれぞれ制御するための各種の電子回路を実装した電子回路基板（複数；不図示）が設けられている。これら複数の電子回路基板上には、各種の制御回路又は処理回路（例えばシステム制御部１２０，レンズ制御部１２１，絞り制御部１２２，液晶絞り制御部１２３，撮像制御部１２４，ＡＤ変換部１２６，一時メモリ１２７，画像処理部１２８，フラッシュ制御部１２９，不揮発性メモリ１３０，外部インターフェース（ＩＦ）１３１，電源制御部１３２，ＡＦ処理部１３３，露出制御部１３４等）が実装されている。
【００６９】
システム制御部１２０は、本撮像装置１００の当該システム全体を統括的に制御すると共に、当該撮像装置１００の各種構成ユニットのそれぞれを、適宜所定のタイミングで制御する制御回路である。システム制御部１２０は、例えばＣＰＵ（Central Processing Unit；中央処理装置）やＡＳＩＣ（Application Specific Integrated Circuit；特定用途向け集積回路）等の電子部品を用いたプロセッサ（processor；処理装置）を含む制御回路等によって構成されている。システム制御部１２０は、後述する不揮発性メモリ１３０等に予め記憶されているプログラムにしたがって動作することにより、各種の制御を実行する。そして、当該システム制御部１２０は、例えば第１外部メモリ１０６，第２外部メモリ１０７，背面モニター１０８，ＥＶＦ１０９，アイセンサ１１０，操作部１１１等を制御する。
【００７０】
レンズ制御部１２１は、絞り制御部１２２を駆動制御する制御回路である。液晶絞り制御部１２３は、液晶絞り装置１０３を制御する制御回路である。撮像制御部１２４は、撮像素子１０４を制御する制御回路である。フラッシュ制御部１２９は、フラッシュ発光部１０５，フラッシュ充電部１２５を制御する制御回路である。
【００７１】
ＡＤ変換部１２６は、撮像素子１０４によって生成され、当該撮像素子１０４から出力される画像信号（アナログ信号）を受けてデジタル信号に変換する機能を有する信号変換回路である。
【００７２】
一時メモリ１２７は、ＡＤ変換部１２６によって生成されたデジタル画像信号を一時的に記憶させるための半導体メモリである。また、一時メモリ１２７は、当該撮像装置１００を再生モードで動作させる操作指示があったときには、第１外部メモリ１０６，第２外部メモリ１０７から読み出された画像データを一時的に記憶する一時記憶領域として利用される。
【００７３】
画像処理部１２８は、一時メモリ１２７に一時的に記憶されたデジタル画像信号に基づいて、各種の画像信号処理を施す処理回路である。この画像処理部１２８にて各種の画像信号処理が施された画像データは、背面モニター１０８又はＥＶＦ１０９や、第１外部メモリ１０６，第２外部メモリ１０７等へと送出される。この場合において、画像処理部１２８から背面モニター１０８又はＥＶＦ１０９へと送出される際には、例えば画像拡大処理などが施される場合もある。したがって、このとき、画像処理部１２８は、画像を所定の拡大倍率で拡大して又は拡大せずに送出する画像送出部として機能する。
【００７４】
不揮発性メモリ１３０は、  例えば各種の制御用プログラムや、設定モード時に用いるメニュー表示プログラム等を予め記憶しておいたり、使用者（ユーザ）による各種設定指示値などを保持しておくためのメモリ部である。システム制御部１２０は、必要に応じて適宜必要なプログラムを、当該不揮発性メモリ１３０から読み出す。
【００７５】
外部インターフェース（ＩＦ）１３１は、外部表示装置１４０との間を接続する接続ケーブルの接続端子が嵌合するインターフェースである。外部インターフェース１３１としては、例えばＨＤＭＩ（登録商標；High-Definition Multimedia Interface；高精細度マルチメディアインターフェース）等の規格に準拠した接続端子と、この端子を介して入力される映像信号を適宜取り扱う処理回路等からなる。
【００７６】
電源制御部１３２は、電源部１１２を制御する制御回路である。ＡＦ処理部１３３は、例えば撮像素子１０４によって取得され種々の処理が施された後の画像信号に基づいて所定のオートフォーカス（ＡＦ）処理を実行するための処理回路である。露出制御部１３４は、例えば撮像素子１０４によって取得され種々の処理が施された後の画像信号に基づいて所定の露出調整処理を実行するための処理回路である。露出制御部１３４は、システム制御部１２０の制御下で、絞り制御部１２２，液晶絞り制御部１２３，撮像制御部１２４等を制御する。
【００７７】
なお、これら各種の制御回路や処理回路は、従来一般に普及している撮像装置において適用されているものと略同様の構成を有するものである。したがって、その詳細説明は省略し、本発明に関連する点についてのみ、以下に詳述する。
【００７８】
このように構成された本実施形態の撮像装置１００の作用を、図３〜図３１のフローチャートを用いて以下に説明する。
【００７９】
まず、本実施形態の撮像装置１００は電源オン状態にあるものとする。この状態において、図３のメインルーチンが開始される。即ち、図３のステップＳ１において、システム制御部１２０は、再生フラグチェック処理を実行する。ここで、再生フラグ＝０である場合は撮像待機モード（ライブビュー（ＬＶ）表示状態）にあるものとして、ステップＳ２の処理に進む。また、再生フラグ＝１（１コマ再生モード）又は再生フラグ＝２（拡大再生モード）である場合にはステップＳ３の処理に進む。つまり、再生フラグが立っているとき（再生フラグ＝１又は２のとき）には、再生モードでの動作指示がなされているので、ステップＳ２の処理をスキップする。
【００８０】
ステップＳ２において、システム制御部１２０は、撮像待機状態における各種動作、例えばライブビュー表示処理等を実行する。ここで、ライブビュー表示処理は、撮像素子１０４によって取得された画像信号に基く画像を連続的に表示する一般的な表示処理である。
【００８１】
次に、ステップＳ３において、システム制御部１２０は、再生操作フラグ処理を実行する。この再生操作フラグ処理のサブルーチンを図４に示す。この再生操作フラグ処理は、再生操作部材による操作指示をフラグとして指示する処理ルーチンである。ここで指示されたフラグに従って再生状態の変更処理（図３のステップＳ４の処理）が行われる。
【００８２】
ここで、図４を用いて、再生操作フラグ処理を詳述する。この再生操作フラグ処理では、使用者（ユーザ）が所定の操作部材（例えば、再生ボタン１１１ｆ，複数の操作ダイヤル１１１ｃ，１１１ｉ，シャッターレリーズボタン１１１ａ，電源スイッチ１１１ｄ等）を適宜所定のタイミングで操作することによって、再生モードへの切り換え動作（操作）、再生モードからの離脱動作（操作）（「再生抜け動作（操作）」などともいう）のほか、再生モード内での各種の動作、例えば、１コマ再生動作，拡大再生動作，再生装置の変更操作（切り換え操作），表示画像変更操作（コマ送りコマ戻し操作）等の再生に関わる各種の操作を指示するフラグを生成する処理が行われる。
【００８３】
上述したように、図３のステップＳ１にて再生フラグ＝１又は２であった場合、又は同図３のステップＳ２の処理の後に、ステップＳ３の処理に進むと、再生操作フラグ処理が実行される。
【００８４】
再生操作フラグ処理は、図４に示すように、まず、ステップＳ１１において、システム制御部１２０は、再生フラグチェック処理を実行する。この再生フラグチェック処理は、図３のステップＳ１の処理と同様である。
【００８５】
ここで、再生フラグ＝０である場合は撮像待機モード（ライブビュー（ＬＶ）表示状態）にあるものとして、ステップＳ２２の処理に進む。また、再生フラグ＝１（１コマ再生モード）又は再生フラグ＝２（拡大再生モード）である場合にはステップＳ１２の処理に進む。
【００８６】
ステップＳ２２において、システム制御部１２０は、再生ボタン１１１ｆが操作されて再生オン信号が発生したか否かの確認を行う。ここで、再生オン信号が確認された場合は、ステップＳ２３の処理に進む。また、再生オン信号が確認されない場合には、図４の一連の処理を終了して、元の処理に戻り（リターン）、図３のステップＳ４の処理に進む。
【００８７】
ステップＳ２３において、システム制御部１２０は、再生フラグ＝１（１コマ再生モード）にセットする。その後、図４の一連の処理を終了して、元の処理に戻り（リターン）、図３のステップＳ４の処理に進む。
【００８８】
一方、ステップＳ１２において、システム制御部１２０は、再生抜け操作が行われたか否かの確認処理を行う。この再生抜け操作とは、再生モードにある状態から他の動作モードへと切り換える操作、つまり再生モードを離脱する操作である。再生抜け操作の具体例としては、例えば、シャッターレリーズボタン１１１ａの第１段スイッチの押し下げ操作（ファースト（１ｓｔ．）レリーズオン操作という）、再生ボタン１１１ｆの押し下げ操作、電源スイッチ１１１ｄのオフ操作などである。
【００８９】
ここで、再生抜け操作の実行が確認された場合には、ステップＳ２４の処理に進む。また、再生抜け操作の実行が確認されない場合には、ステップＳ１３の処理に進む。
【００９０】
ステップＳ２４において、システム制御部１２０は、再生フラグ＝０にセットする。その後、ステップＳ２５の処理に進む。
【００９１】
ステップＳ２５において、システム制御部１２０は、拡大倍率手動変更フラグ＝０にセットする（フラグクリア）。
【００９２】
なお、ここで、拡大倍率手動変更フラグは、使用者（ユーザ）による拡大倍率の設定変更操作（拡大操作）に関するフラグである。使用者（ユーザ）による拡大倍率の手動変更が行われていない場合は、拡大倍率手動変更フラグ＝０である。また、使用者（ユーザ）による拡大倍率の手動変更が行われた場合は、拡大倍率手動変更フラグ＝１である。
【００９３】
拡大倍率を手動で設定する場合は、予め決められた拡大倍率の系列の中から任意の一つの拡大倍率値を選択する操作となる。本実施形態の撮像装置１００においては、拡大倍率の系列として、例えば、２×，３×，５×，７×，１０×，１４×などといった拡大倍率値が予め用意されているものとする。なお、手動による拡大倍率の選択操作は、例えば操作ダイヤル１１１ｃの回転操作や、拡大ボタン１１１ｘの押し下げ操作のほかに、タッチパネルへのタッチ又はスライド操作などがある。この場合において、これらの操作部材（１１１ｃ，１１１ｘ等）は、拡大倍率系列（第２拡大倍率）の一つを指示する拡大倍率変更操作部として機能している。
【００９４】
続いて、ステップＳ２６において、システム制御部１２０は、拡大倍率退避処理を実行する。この拡大倍率退避処理のサブルーチンを図５に示す。この拡大倍率退避処理とは、所定のタイミング、例えば再生モードから離脱する際などにコールされ、手動設定または自動的に指示されて、現在設定されている拡大倍率の設定値を、前回値として保持する処理である。
【００９５】
ここで、拡大倍率退避処理のサブルーチンを図５によって説明する。図５のステップＳ３１において、システム制御部１２０は、現在設定されている拡大倍率の設定値を不揮発性メモリ１３０の所定の領域に記憶する。これにより、使用者（ユーザ）が手動で設定した拡大倍率の設定値が、前回の設定値として保持される。したがって、次回、再生モードに設定されたときには、ここで保持された拡大倍率の設定値が呼び出される。その後、図５の一連の処理を終了して、元の処理に戻り（リターン）、図３のステップＳ４の処理に進む。
【００９６】
図４に戻って、ステップＳ１３において、システム制御部１２０は、使用者（ユーザ）による拡大操作が行われたか否かの確認を行う。この拡大操作とは、再生モードにある状態において表示中の画像を拡大して表示させる操作である。拡大操作の具体例としては、例えば、拡大ボタン１１１ｘの押し下げ操作、操作ダイヤル１１１ｃの回転操作、背面モニター１０８の表示面へのタッチ操作（ピンチアウト（pinch-out），ピンチイン（pinch-in），ダブルタップ（double tapping）等）などである。
【００９７】
ここで、拡大操作の実行が確認された場合には、ステップＳ１４の処理に進む。また、拡大操作の実行が確認されない場合には、ステップＳ１７の処理に進む。
【００９８】
ステップＳ１４において、システム制御部１２０は、再生フラグチェック処理を実行する。ここで、再生フラグ＝１（１コマ再生モード）である場合には、ステップＳ１５の処理に進む。また、再生フラグ＝２（拡大再生モード）である場合には、ステップＳ２７の処理に進む。
【００９９】
ステップＳ１５において、システム制御部１２０は、再生フラグ＝２（拡大再生モード）にセットする。
【０１００】
続いて、ステップＳ１６において、システム制御部１２０は、拡大倍率セット処理を実行する。この拡大倍率セット処理のサブルーチンを図６に示す。この拡大倍率セット処理は、拡大倍率がセットされる処理ルーチンである。この拡大倍率セット処理は、拡大表示を指示する操作タイミング、即ち使用者（ユーザ）が拡大操作（ステップＳ１３）を行ったときにコールされ、「拡大倍率設定メニュー」において３つのモード（前回倍率モード，固定倍率モード，ピクセル等倍モード）のうちから予め設定されたモードに従って拡大倍率がセットされる処理である。
【０１０１】
本実施形態の撮像装置１００では、再生モードで拡大表示動作を実行した場合の動作形態（どのような拡大倍率を用いて拡大表示を行うか）が複数用意されている。そして、それら複数の動作形態のうちの一つを、当該拡大倍率セット処理によって予め設定しておくようにしている。これにより、使用者（ユーザ）が拡大操作を行ったときに実行される拡大表示動作を、予め設定した所望の動作形態とすることができるようにしている。
【０１０２】
本実施形態の撮像装置１００において、再生モードで拡大表示動作を実行した場合には、例えば、前回倍率モード，固定倍率モード，ピクセル等倍モードなどによる動作が実行される。
【０１０３】
ここで、前回倍率モードは、再生装置（表示装置）の表示画素数や、再生対象とする画像の画素数に関わらず、前回の拡大表示動作を実行したときの拡大倍率値を用いて拡大表示動作を行う動作形態である。この動作形態では、ユーザーが画像の確認の為に好ましい値に設定したであろう拡大倍率を保持継承するので、ユーザーは次回以降の拡大においても、その倍率で確認することができる。
【０１０４】
固定倍率モードは、再生装置（表示装置）の表示画素数や、再生対象とする画像の画素数に関わらず、ユーザー指定の拡大倍率値を用いて拡大表示動作を行う動作形態である。この動作形態では、ユーザーが好ましい拡大倍率を指定し固定的に使用可能である。
【０１０５】
ピクセル等倍モードは、再生装置（表示装置）の表示画素数や、再生対象とする画像の画素数に応じた拡大倍率値を用いて拡大表示動作を行う動作形態である。この動作形態では、ユーザーが拡大しすぎることで、ピント外れと判断ミスすることを防止ことができる。
【０１０６】
この拡大倍率セット処理は、例えば、所定のメニュー（拡大倍率設定メニュー）から予め用意された複数の項目から所望の項目を選択操作を行うことで、拡大表示動作の際の動作形態を選択指示し、選択された項目に対応する動作形態の設定を不揮発性メモリ１３０の所定の領域に保持する処理である。こうして選択指示されて不揮発性メモリ１３０に保持された設定は、使用者（ユーザ）によって拡大操作が行われたときに、当該不揮発性メモリ１３０から読み出され、対応するプログラムが実行されることになる。
【０１０７】
ここで、拡大倍率セット処理のサブルーチンを図６によって説明する。図６のステップＳ４１において、システム制御部１２０は、２つの表示部（１０８，１０９）のうちの一方に拡大倍率設定選択メニューを表示する。
【０１０８】
使用者（ユーザ）は、このメニュー表示を操作して、所望の拡大表示動作時の動作形態（例えば上述の三種のモード（前回倍率モード，固定倍率モード，ピクセル等倍モード）のうちの一つ）を選択する。
【０１０９】
ここで、例えば、前回倍率モードが選択指示されたときには、拡大倍率設定フラグ＝０とし、ステップＳ４２の処理に進む。また、固定倍率モードが選択指示されたときには、拡大倍率設定フラグ＝１とし、ステップＳ４３の処理に進む。そして，ピクセル等倍モードが選択指示されたときには、拡大倍率設定フラグ＝２とし、ステップＳ４４の処理に進む。
【０１１０】
ステップＳ４２において、システム制御部１２０は、前回の拡大倍率値を読み出して、今回の拡大表示の際の拡大倍率値として設定（セット）する。その後、一連の処理を終了して、元の処理に戻り（リターン）、図４のステップＳ１７の処理に進む。
【０１１１】
ステップＳ４３において、システム制御部１２０は、使用者（ユーザ）が予め指定しておいた拡大倍率値を今回の拡大表示の際の拡大倍率値として設定（セット）する。その後、一連の処理を終了して、元の処理に戻り（リターン）、図４のステップＳ１７の処理に進む。
【０１１２】
ステップＳ４４において、システム制御部１２０は、ピクセル等倍倍率特定処理を実行する。このピクセル等倍倍率特定処理のサブルーチンを図１２に示し、詳細説明は後述する。
【０１１３】
続いて、ステップＳ４５において、システム制御部１２０は、上述のステップＳ４４の処理（ピクセル等倍倍率特定処理）にて取得した特定値を、今回の拡大表示の際の拡大倍率値として設定（セット）する。その後、一連の処理を終了して、元の処理に戻り（リターン）、図４のステップＳ１７の処理に進む。
【０１１４】
なお、上述の説明では、図４のステップＳ１３の処理で行われる拡大操作の後に、拡大倍率セット処理（図４のステップＳ１６の処理）が実行され、その拡大倍率セット処理において、メニュー画面が呼び出されて、所定の選択設定操作を行うようにしている。
【０１１５】
しかし、このようなメニュー画面による選択設定操作は、一度設定されておればよいものであるのは当然である。したがって、拡大表示動作時の動作形態が、既に設定（セット）されている場合には、拡大倍率セット処理（図４のステップＳ１６）が実行されると、既に保持されている拡大表示動作時の動作形態に関する拡大倍率設定が読み出され、設定済みの動作形態による拡大表示動作が実行される。
【０１１６】
つまり、使用者（ユーザ）は、拡大操作（図４のステップＳ１３）を実行する都度、図６の拡大倍率セット処理による拡大表示動作時の動作形態の選択指示操作を行わなければならないということではない。そしてまた、この拡大倍率セット処理による拡大表示動作時の動作形態の選択指示操作は、いつでも動作設定モードのメニュー画面から設定変更を行うことができる。
【０１１７】
ここで、図１２のピクセル等倍倍率特定処理のサブルーチンを説明する。このピクセル等倍倍率特定処理は、再生装置の画素数と再生対象画像の画素数とから、ピクセル等倍の拡大倍率を算出し、算出されたピクセル等倍の拡大倍率を拡大倍率系列値のいずれかに丸める処理である。
【０１１８】
図６のステップＳ４１の処理にて、ピクセル等倍モードが選択指示されると、拡大倍率設定フラグ＝２とされた後、ステップＳ４４の処理、即ち図１２のピクセル等倍倍率特定処理に進む。
【０１１９】
図１２のステップＳ９１において、システム制御部１２０は、拡大再生対象画像サイズチェック処理を実行する。この拡大再生対象画像サイズチェック処理のサブルーチンを図１５に示す。
【０１２０】
通常、撮像装置１００においては、複数のアスペクト比（例えば「４：３」「３：２」「１：１」「１６：９」「３：４」等）を指定して画像記録を行う機能を有している。これら複数のアスペクト比の画像を生成する際には、一般に、撮像素子によって取得し得る基本画像から切り出すことで、所望のアスペクト比の画像を生成するようにしている。
【０１２１】
拡大再生の対象とする画像サイズから拡大倍率を算出するのに際して、各アスペクト比での記録画像を個別に考慮するとなると、拡大表示を行う際の拡大倍率系列値が乗算的に多数発生してしまうことになる。
【０１２２】
このことを考慮して、本実施形態においては、拡大表示を行う際の拡大倍率値の算出は、撮像素子の基本画像（本例ではアスペクト比「４：３」の画像とする）における縦画素数または横画素数を基準として一意的に行われるようにしている。
【０１２３】
図１５のステップＳ１１１において、システム制御部１２０は、画質モードチェック処理を行う。ここで、画質モードとは、記録する画像データファイルの種類の設定である。画質モードは、使用者（ユーザ）が設定モードのメニュー画面から予め設定しておくことができる。画質モードチェック処理では、画質モードフラグの確認が行われる。画質モードフラグ＝０の場合はＲＡＷのみで記録する画質モードである。また、画質モードフラグ＝１の場合は、ＲＡＷとＪＰＥＧの二種の画像データを記録する画質モードである。画質モードフラグ＝２の場合は、ＪＰＥＧのみで記録する画質モードである。
【０１２４】
ここでは、画質モードの種別として、例えばＲＡＷ画像データのみを記録するモード，ＲＡＷとＪＰＥＧの二種の画像データを記録する画質モード，ＪＰＥＧのみで記録するモードの三種を例示したが、実際にはさらに、図３２に示すような小分類がある。
【０１２５】
例えば、ＪＰＥＧのみで記録する場合における画像サイズについて、Ｌａｒｇｅ，Ｍｉｄｌｌｅ，Ｓｍａｌｌの三つの大分類がある。このうち、さらに、Ｍｉｄｌｌｅに４種、Ｓｍａｌｌに２種の小分類がある。
【０１２６】
また、ハイレゾＪＰＥＧとは、撮像時に撮像素子をピクセル単位で移動させて、その都度得られる複数の画像データ（ＪＰＥＧデータ）を合成して高解像度の画像データを取得する動作モード（いわゆるハイレゾモード）で取得されるＪＰＥＧデータである。
【０１２７】
上述のステップＳ１１１において、画質モードフラグ＝０が確認された場合にはステップＳ１１２の処理に進む。また、画質モードフラグ＝１ 又は ２が確認された場合にはステップＳ１１３の処理に進む。
【０１２８】
ステップＳ１１２において、システム制御部１２０は、スクリーンネイル画像の縦画素数を、拡大再生対象画像のサイズとしてセットする。その後、一連の処理を終了して、元の処理に戻り（リターン）、図１２のステップＳ９２の処理に進む。
【０１２９】
なお、スクリーンネイル画像とは、ＲＡＷ画像データやＪＰＥＧ画像データに含まれる表示用画像データである。この表示用画像データは、例えばＪＰＥＧ形式の画像データであり、ＲＡＷ画像データと同じ縦横画素を有する場合のほか、縮小された画像サイズである場合など、様々な場合がある。このように、撮像装置１００によって取得される画像データは、複数の画像を一組として構成され、この一組の画像に加えて、当該画像に関する各種の付随情報を含めて構成されてファイル化されている。なお、画像データファイルの形態は、従来一般に実用化され普及している各種の形態のものが適用されているものとして、これ以上の詳細説明は省略する。
【０１３０】
ステップＳ１１３において、システム制御部１２０は、ＪＰＥＧ画像（４：３）の縦画素数を、拡大再生対象画像のサイズとしてセットする。その後、一連の処理を終了して、元の処理に戻り（リターン）、図１２のステップＳ９２の処理に進む。
【０１３１】
なお、記録されるＪＰＥＧ画像のアスペクト比設定が、「４：３」以外に設定されている場合であっても、ＪＰＥＧ画像の本来の画素数を基準として、後述の拡大倍率計算に用いる。そのために、ここでは、ＪＰＥＧ画像（４：３）の縦画素数をセットする。
【０１３２】
また、ここで、図１６は、図１５の拡大再生対象画像サイズチェック処理（図１２のステップＳ９１の処理）の変形例である。図１６に示す変形例においては、画質モードフラグ＝２の場合の処理を別ステップで行うようにしている点が異なる。
【０１３３】
即ち、図１６のステップＳ１１１Ａにおいて、システム制御部１２０は、画質モードチェック処理を行う（図１５のステップＳ１１１と同様）。ここで、画質モードフラグ＝０が確認された場合にはステップＳ１１２の処理に進む。また、画質モードフラグ＝２が確認された場合にはステップＳ１１３の処理に進む。一方、画質モードフラグ＝１が確認された場合にはステップＳ１１４の処理に進む。なお、ステップＳ１１２，Ｓ１１３の各処理は、図１５と同様である。
【０１３４】
一方、ステップＳ１１４において、システム制御部１２０は、ＪＰＥＧ画像（４：３）の主画像の縦画素数と、ＲＡＷ画像に含まれるスクリーンネイル画像の縦画素数とを比較して、大きい方を拡大再生対象画像のサイズとしてセットする。その後、一連の処理を終了して、元の処理に戻り（リターン）、図１２のステップＳ９２の処理に進む。
【０１３５】
図１２に戻って、ステップＳ９２において、システム制御部１２０は、再生装置（表示装置）のチェックを行う。この再生装置（表示装置）のチェックとは、第１表示部（背面モニター１０８）や第２表示部（ＥＶＦ１０９）のそれぞれの表示パネルの仕様（例えば表示領域のアスペクト比や表示領域の縦横画素数等）の確認である。
【０１３６】
ここで、例えば図３２に示す表は、ピクセル等倍で拡大表示を行う際の拡大倍率値の算出値の例示である。この場合において、当該撮像装置１００における画質モード毎の画像の縦横画素数は、画像ピクセルサイズの欄の通りである。この場合において、横画素数を長辺Ａとし、縦画素数を短辺Ｂとして示す。また、第１表示部（背面モニター１０８）は、アスペクト比＝３：２であり、長辺Ｃ＝７２０画素、短辺Ｄ＝４８０画素の仕様からなる表示パネルを有するものとしている。第２表示部（ＥＶＦ１０９）は、アスペクト比＝４：３であり、長辺Ｅ＝１０２４画素、短辺Ｆ＝７６８画素の仕様からなる表示パネルを有するものとしている。
【０１３７】
図１２に戻って、ステップＳ９２において、システム制御部１２０は、再生装置（表示装置）の仕様などのチェックを行う（図３２参照）。
【０１３８】
次に、ステップＳ９３において、システム制御部１２０は、ピクセル等倍の拡大倍率値の算出を行う。例えば、図３２に示す例において、画質モード＝Ｌａｒｇｅの場合の長辺Ａ＝５１８４画素、短辺Ｂ＝３８８８画素の画像を、背面モニター１０８（長辺Ｃ＝７２０画素、短辺Ｄ＝４８０画素）を用いてピクセル等倍の拡大表示を行う際の拡大倍率は、
ピクセル等倍の拡大倍率（横）＝長辺Ａ／長辺Ｃ＝５１８４／７２０＝７．２
ピクセル等倍の拡大倍率（縦）＝短辺Ｂ／短辺Ｄ＝３８８８／４８０＝８．１
として算出できる。
【０１３９】
続いて、ステップＳ９４において、システム制御部１２０は、上述のステップＳ９３の処理にて算出されたピクセル等倍の拡大倍率値を、所定の拡大倍率系列に丸める処理を実行する。この拡大倍率系列に丸め処理のサブルーチンを図１３に示す。
【０１４０】
簡略に説明すると、拡大倍率系列に丸め処理は、例えば、算出されたピクセル等倍の拡大倍率値に一番近い拡大倍率系列値とする処理や、算出されたピクセル等の拡大倍率値よりも大きくかつ一番近い拡大倍率系列値とする処理、算出されたピクセル等の拡大倍率値よりも小さくかつ一番近い拡大倍率系列値とする処理などが考えられ、いずれの処理を適用してもよい。
【０１４１】
なお、このような「丸め処理」を行うのは、次のような理由による。即ち、通常の場合、再生表示動作の際に拡大表示を行うことのできる撮像装置において予め設定されている拡大倍率系列としては、使い勝手を考慮して、例えば、２×，３×，５×，７×，１４×などのように、できるだけ離散的で、かつ少ないステップで、高倍率までをカバーすることができるような系列とするのが望ましい。
【０１４２】
換言すると、例えば１倍（全体表示）から１．１５×などのように、小刻みの拡大倍率を用意しても、無意味であるばかりでなく、ユーザーが拡大操作を失敗したと誤認する元になる。また、逆に、例えば２１．６×などのように、大き過ぎる拡大倍率を用意しても、あまりにもスポット過ぎて何が表示されているのかさっぱりわからないことになり、同様に無意味である。つまり、拡大表示の目的が、主にピントチェックであることを考慮すると、拡大倍率が極端な低倍率や高倍率（若しくはその近傍）であることは不適であると言える。
【０１４３】
そのために、ピクセル等倍での拡大倍率値は、ピントチェックに適切と考えられる最低倍率と最大倍率とを制限するとよい。少なくとも拡大操作上の観点からは下限は設ける必要がある。
【０１４４】
そこで、例えば、図１３のステップＳ１０１において、システム制御部１２０は、ピクセル等倍の拡大倍率の下限倍率をＰＢｍｉｎと定義する。
【０１４５】
続いて、ステップＳ１０２において、システム制御部１２０は、ピクセル等倍の拡大倍率の上限倍率をＰＢｍａｘと定義する。
【０１４６】
このように、ピクセル等倍での拡大倍率値を制限することは、背面モニター１０８とＥＶＦ１０９とを切り換えた時に引き起こされる拡大倍率の乖離が緩和される。よって、使用者（ユーザ）に与える違和感を低減することができるという効果もある。
【０１４７】
なお、図３２に示す例では、ＰＢｍｉｎ＝２×とし、ＰＢｍａｘ＝１４×としている。しかしながら、実使用的な簡略化を考慮して、例えばＰＢｍｉｎ＝３×，ＰＢｍａｘ＝７×などのように、狭めた範囲として設定しても良い。
【０１４８】
次に、図１３のステップＳ１０３において、システム制御部１２０は、図１２のステップＳ９３の処理にて算出されたピクセル等倍の拡大倍率＜ＰＢｍｉｎであるか否かの確認を行う。
【０１４９】
ここで、拡大倍率＜ＰＢｍｉｎであることが確認された場合には、次のステップＳ１０４の処理に進む。また、拡大倍率＜ＰＢｍｉｎではない（拡大倍率≧ＰＢｍｉｎ）ことが確認された場合には、ステップＳ１０７の処理に進む。
【０１５０】
ステップＳ１０７において、システム制御部１２０は、拡大倍率設定をＰＢｍｉｎに丸める処理を実行する。その後、一連の処理を終了して、元の処理に戻り（リターン）、図６のステップＳ４５の処理に進む。そして、このステップＳ４５にて、上記の如く取得した特定値を、今回の拡大表示の際の拡大倍率値として設定（セット）する。その後、一連の処理を終了して、元の処理に戻り（リターン）、図４のステップＳ１７の処理に進む。  一方、ステップＳ１０３の処理にて拡大倍率＜ＰＢｍｉｎである場合にステップＳ１０４の処理に進むと、ステップＳ１０４において、システム制御部１２０は、図１２のステップＳ９３の処理にて算出されたピクセル等倍の拡大倍率＞ＰＢｍａｘであるか否かの確認を行う。
【０１５１】
ここで、拡大倍率＞ＰＢｍａｘであることが確認された場合には、次のステップＳ１０５の処理に進む。また、拡大倍率＞ＰＢｍａｘではない（拡大倍率≦ＰＢｍａｘ）ことが確認された場合には、ステップＳ１０６の処理に進む。
【０１５２】
ステップＳ１０６において、システム制御部１２０は、拡大倍率設定をＰＢｍａｘに丸める処理を実行する。その後、一連の処理を終了して、元の処理に戻り（リターン）、図６のステップＳ４５の処理に進む。そして、このステップＳ４５にて、上記の如く取得した特定値を、今回の拡大表示の際の拡大倍率値として設定（セット）する。その後、一連の処理を終了して、元の処理に戻り（リターン）、図４のステップＳ１７の処理に進む。
【０１５３】
一方、ステップＳ１０４の処理にて拡大倍率＞ＰＢｍａｘである場合にステップＳ１０５の処理に進むと、ステップＳ１０５において、システム制御部１２０は、図１２のステップＳ９３の処理にて算出されたピクセル等倍の拡大倍率に近い拡大倍率に丸める処理を実行する。その後、一連の処理を終了して、元の処理に戻り（リターン）、図６のステップＳ４５の処理に進む。そして、このステップＳ４５にて、上記の如く取得した特定値を、今回の拡大表示の際の拡大倍率値として設定（セット）する。その後、一連の処理を終了して、元の処理に戻り（リターン）、図４のステップＳ１７の処理に進む。
【０１５４】
なお、図１４はピクセル等倍倍率特定処理のサブルーチンの変形例である。図１４に示す変形例では、２つの再生装置（１０８，１０９）のそれぞれにおいてピクセル等倍表示を行う際の拡大倍率をそれぞれ求めた後、両者を一つの拡大倍率系列値に丸める（統合する）処理を行う点が異なる。即ち、図１４のステップＳ９１において、システム制御部１２０は、拡大再生対象画像サイズチェック処理（図１５）を実行する（図１２のステップＳ９１の処理と同じ）。
【０１５５】
次いで、ステップＳ９３Ａにおいて、システム制御部１２０は、第１再生装置のピクセル等倍での拡大倍率を算出する。
【０１５６】
続いて、ステップＳ９３Ｂにおいて、システム制御部１２０は、第２再生装置のピクセル等倍での拡大倍率を算出する。
【０１５７】
次に、ステップＳ９３Ｃにおいて、システム制御部１２０は、２種の再生装置のピクセル等倍での拡大倍率を統合する処理を実行する。
【０１５８】
ここで、統合処理の具体例としては、例えば、平均値をとる処理、大きい方を採用する処理、小さい方を採用する処理などが考えられ、いずれの処理を採用してもよい。
【０１５９】
続いて、ステップＳ９４において、システム制御部１２０は、拡大倍率系列に丸め処理（図１３）を実行する（図１２のステップＳ９４の処理と同じ）。その後、一連の処理を終了して、元の処理に戻り（リターン）、図６のステップＳ４５の処理に進む。そして、このステップＳ４５にて、上記の如く取得した特定値を、今回の拡大表示の際の拡大倍率値として設定（セット）する。その後、一連の処理を終了して、元の処理に戻り（リターン）、図４のステップＳ１７の処理に進む。
【０１６０】
一方、図４のステップＳ１４の処理にて再生フラグ＝２（拡大再生モード）であることが確認されてステップＳ２７の処理に進むと、このステップＳ２７において、システム制御部１２０は、上述の同図４のステップＳ１３で行われた拡大操作の種別を確認する。ここで、本実施形態の撮像装置１００においては、拡大操作を行う手段として、拡大ボタン１１１ｘによるボタン操作（拡大操作フラグ＝Ｂとする）と、操作ダイヤル１１１ｃによるダイヤル操作（拡大操作フラグ＝Ｄとする）と、表示パネル上のタッチパネルへのタッチ操作（拡大操作フラグ＝Ｔ）などがある。したがって、このステップＳ２７にて行う拡大操作の種別確認は、拡大操作フラグの確認である。
【０１６１】
即ち、当該ステップＳ２７において、拡大操作フラグ＝Ｄ又はＴであることが確認された場合には、ステップＳ２８の処理に進む。また、拡大操作フラグ＝Ｂであることが確認された場合には、ステップＳ２９の処理に進む。
【０１６２】
ステップＳ２８において、システム制御部１２０は、拡大倍率変更処理を実行する。この拡大倍率変更処理のサブルーチンを図１７に示す（詳細後述）。その後、ステップＳ１７の処理に進む。
【０１６３】
また、ステップＳ２９において、システム制御部１２０は、拡大フラグ変更処理を実行する。この拡大フラグ変更処理のサブルーチンを図１８に示す（詳細後述）。その後、ステップＳ１７の処理に進む。
【０１６４】
ここで、上記拡大倍率変更処理（図４のステップＳ２８の処理）について、図１７によって以下に詳述する。
【０１６５】
図１７のステップＳ１２１において、システム制御部１２０は、タッチ操作の確認を行う。ここで、タッチ操作が確認されない場合には、ステップＳ１２４の処理に進む。また、タッチ操作のうちピンチイン操作が確認された場合には、ステップＳ１２３の処理に進む。タッチ操作のうちピンチアウト操作が確認された場合には、ステップＳ１２２の処理に進む。
【０１６６】
ステップＳ１２２において、システム制御部１２０は、拡大倍率をアップする。即ち、拡大倍率の設定を高めると共に、対応する拡大表示を行う。その後、ステップＳ１２４の処理に進む。
【０１６７】
一方、ステップＳ１２３において、システム制御部１２０は、拡大倍率をダウンさせる。即ち、拡大倍率の設定を低めると共に、対応する拡大倍率での表示を行う。その後、ステップＳ１２４の処理に進む。
【０１６８】
ステップＳ１２４において、システム制御部１２０は、ダイヤル操作の確認を行う。ここで、ダイヤル操作が１クリック分の右回転操作である場合には、ステップＳ１２５の処理に進む。また、ダイヤル操作が１クリック分の左回転操作である場合には、ステップＳ１２６の処理に進む。
【０１６９】
ここで、操作ダイヤル１１１ｃは、クリック機構を有し、回転操作に伴ってクリック感を得られるように構成されている。この場合において、操作ダイヤル１１１ｃは、例えば１クリック毎に、拡大倍率系列（２×，３×，５×，７×，１０×，１４×）を順次を繰り上げ（倍率アップ）又は繰り下げ（倍率ダウン）させるように構成されている。図１７のフローチャートの例では、右回転で倍率アップ、左回転で倍率ダウンとしているが、これに限らず、逆の設定としてもよい。なお、拡大倍率２×設定のときに倍率ダウン方向へのクリックは１×となる拡大表示を抜けて１コマ再生に移行する。また、拡大倍率１４×設定の時に倍率アップ方向へのクリックは、例えば表示変更がされず拡大倍率１４×が維持される。
【０１７０】
ステップＳ１２５において、システム制御部１２０は、拡大倍率をアップする。即ち、拡大倍率の設定を高めると共に、対応する拡大表示を行う。その後、ステップＳ１２７の処理に進む。
【０１７１】
一方、ステップＳ１２６において、システム制御部１２０は、拡大倍率をダウンさせる。即ち、拡大倍率の設定を低めると共に、対応する拡大倍率での表示を行う。その後、ステップＳ１２７の処理に進む。
【０１７２】
ステップＳ１２７において、システム制御部１２０は、拡大倍率が１×であるか否かの確認を行う。ここで、拡大倍率が１×であることが確認された場合には、ステップＳ１２８の処理に進む。また、拡大倍率が１×ではない場合には、ステップＳ１３０の処理に進む。なお、拡大倍率が１×とは、１コマ再生の状態である。
【０１７３】
ステップＳ１２８において、システム制御部１２０は、再生フラグ＝１（１コマ再生モード）にセットする。
【０１７４】
ステップＳ１２９において、システム制御部１２０は、拡大倍率退避処理（図５のサブルーチン）を実行する。
【０１７５】
続いて、ステップＳ１３０において、システム制御部１２０は、ピクセル等倍の拡大倍率から拡大倍率の変更がされたか否かの確認を行う。ここで、拡大倍率の変更が行われたことが確認された場合には、次のステップＳ１３１の処理に進む。また。拡大倍率の変更が行われていない場合には、次のステップＳ１３２の処理に進む。
【０１７６】
ステップＳ１３１において、システム制御部１２０は、拡大倍率手動変更フラグ＝１にセットする。その後、一連の処理を終了して、元の処理に戻り（リターン）、図４のステップＳ１７の処理に進む。
【０１７７】
一方、ステップＳ１３２において、システム制御部１２０は、拡大倍率手動変更フラグ＝０にセットする。その後、一連の処理を終了して、元の処理に戻り（リターン）、図４のステップＳ１７の処理に進む。
【０１７８】
上述のステップＳ１３０の処理にて、手動操作による拡大倍率変更操作を行った場合には、ピクセル等倍の拡大倍率よりも、手動操作によって設定される拡大倍率値を優先させることとする。そのために、ステップＳ１３１，Ｓ１３２の処理において、手動操作によってピクセル等倍の拡大倍率から拡大倍率を変更をしたかどうかのフラグ（拡大倍率手動変更フラグ）を設ける。
【０１７９】
次に、上記拡大フラグ変更処理（図４のステップＳ２９の処理）について、図１８によって以下に詳述する。
【０１８０】
図１８のステップＳ１４１において、システム制御部１２０は、タッチ操作の確認を行う。ここで、タッチ操作のうちダブルタップ操作が確認された場合には、ステップＳ１４６の処理に進む。また、タッチ操作のうちダブルタップ操作以外のタッチ操作が確認された場合には、ステップＳ１４２の処理に進む。
【０１８１】
ステップＳ１４２において、システム制御部１２０は、拡大ボタン１１１ｘの押圧操作の確認を行う。ここで、拡大ボタン１１１ｘの長押し操作が確認された場合には、ステップＳ１４６の処理に進む。また、拡大ボタン１１１ｘの短押し操作が確認された場合には、ステップＳ１４３の処理に進む。
【０１８２】
ステップＳ１４３において、システム制御部１２０は、拡大フラグチェック処理を実行する。ここで、拡大フラグ＝１の場合はステップＳ１４４の処理進む。また、拡大フラグ＝２の場合はステップＳ１４５の処理進む。
【０１８３】
ステップＳ１４４において、システム制御部１２０は、拡大フラグ＝２（拡大表示；図３３の符号１０８Ｃ参照）にセットする。その後、一連の処理を終了して、元の処理に戻り（リターン）、図４のステップＳ１７の処理に進む。
【０１８４】
ステップＳ１４５において、システム制御部１２０は、拡大フラグ＝１（拡大枠表示；図３３の符号１０８Ｂ参照）にセットする。その後、一連の処理を終了して、元の処理に戻り（リターン）、図４のステップＳ１７の処理に進む。
【０１８５】
ステップＳ１４６において、システム制御部１２０は、再生フラグ＝１（１コマ再生モード）にセットする。
【０１８６】
続いてステップＳ１４７において、システム制御部１２０は、拡大倍率退避処理（図５のサブルーチン）を実行する。その後、一連の処理を終了して、元の処理に戻り（リターン）、図４のステップＳ１７の処理に進む。
【０１８７】
図４に戻って、ステップＳ１７において、システム制御部１２０は、使用中の再生装置（表示装置）の変更（切り換え）指示の確認を行う。ここで、再生装置（表示装置）変更（切り換え）指示とは、例えばアイセンサ１１０の検出信号を受けて発生する変更指示、若しくはモニタ切換ボタン１１１ｙが操作されることによって発生する変更指示である。
【０１８８】
そして、ここで行われる変更指示の確認は、再生装置変更フラグのチェック処理である。即ち、再生装置変更フラグ＝０の場合は「変更指示なし」であり、ステップＳ２０の処理に進む。また、再生装置変更フラグ＝１の場合は「変更指示あり」であり、ステップＳ１８の処理に進む。
【０１８９】
なお、ここで、再生装置変更フラグは、図３１の再生装置変更フラグセット処理のサブルーチンによって設定される。
【０１９０】
本実施形態の撮像装置１００における再生装置（表示装置１０８，１０９）の変更（切り換え）は、アイセンサ１１０の検知信号に基く自動切り換えと、モニタ切換ボタン１１１ｙが手動操作されて生じる操作指示信号に基く手動切り換えがある。
【０１９１】
再生装置の切換設定の態様は、設定モードのメニュー設定操作によって、予め用意された複数（本実施形態では三形態）の設定のうちのいずれか一つの態様を選択し設定しておくことにより規定される。
【０１９２】
再生装置の切換設定の第１の態様は、アイセンサ１１０の検知機能を無効化して、常にモニタ切換ボタン１１１ｙによる手動操作に基づいて切り換えを行う態様である（アイセンサＯＦＦモード）。
【０１９３】
再生装置の切換設定の第２の態様は、アイセンサ１１０の検知機能を有効化して、ＥＶＦ１０９を覗くなどによってアイセンサ１１０を反応させると、自動的にＥＶＦ１０９を使用する状態に切り換わる態様である。このときＥＶＦ１０９には、直前の動作モードに関わらずライブビューが表示される（アイセンサＯＮ１モード）。
【０１９４】
つまり、再生モードであっても撮像モードであっても、背面モニター１０８の使用中（若しくは背面モニタがオフ状態であってもよい）に、アイセンサ１１０が反応すると、自動的にＥＶＦ１０９がオン状態に切り換わると共に、ＥＶＦ１０９にはライブビューが表示される。したがって、直前の動作モードが再生モードであった場合には、撮像モードへの切り換えも同時に行われる。
【０１９５】
このように、アイセンサＯＮ１モード（第２の態様）では、ＥＶＦ１０９を用いて行う撮像動作の速写性を最優先するという思想から、ＥＶＦ１０９は、ライブビュー表示を行うように動作して、再生装置としての使用を規制するモードとしている。したがって、再生装置を切り換えることによって生じる問題、例えばピクセル等倍処理によって異なる拡大倍率で再生画像をユーザーが簡単に視認する等の問題は生じることがなく、よって、使用者（ユーザ）違和感を与えることはない。また、再生装置の切り換え指示自体が発生しないので、ピクセル等倍の倍率からユーザーが手動で拡大倍率を変更した際に、再生装置の不用意な切り換え指示によって元のピクセル等倍の倍率に戻ってしまう等の問題も生じることがない。
【０１９６】
再生装置の切換設定の第３の態様は、アイセンサ１１０の検知機能を有効化して、背面モニター１０８の使用中に、ＥＶＦ１０９を覗くなどによってアイセンサ１１０を反応させると、自動的に背面モニター１０８からＥＶＦ１０９へと切り換わる態様である。このときＥＶＦ１０９には背面モニター１０８で表示中の表示画像が表示される（アイセンサＯＮ２モード）。
【０１９７】
これらの切換設定が設定されている場合に、再生装置の変更（切り換え）指示が発生した場合における再生装置変更フラグのセット処理を、図３１を用いて以下に説明する。
【０１９８】
まず、図３１のステップＳ２０１において、システム制御部１２０は、撮像装置１００の動作モードが再生モードであるか否かの確認を行う。ここで、再生モードであることが確認された場合には、ステップＳ２０２の処理に進む。また、再生モードではない場合には、ステップＳ２０５の処理に進む。
【０１９９】
ステップＳ２０５において、システム制御部１２０は、再生装置変更フラグ＝０にセットする。その後、一連の処理を終了して、元の処理に戻る（リターン）。なお、このリターン処理は、現在の設定モードを抜けて、直前の動作モード（撮像モード又は再生モード）へと戻る処理である（ステップＳ２０４，Ｓ２０７の後のリターン処理も同様）。
【０２００】
一方、ステップＳ２０２において、システム制御部１２０は、再生装置切換設定が、上記三態様のうちのいずれに設定されたかの確認を行う。ここで、アイセンサＯＮ１モード（第２の態様）に設定された場合には、ステップＳ２０５の処理に進む。アイセンサＯＮ２モード（第３の態様）に設定された場合には、ステップＳ２０３の処理に進む。アイセンサＯＦＦモード（第１の態様）に設定された場合には、ステップＳ２０６の処理に進む。
【０２０１】
ステップＳ２０３において、システム制御部１２０は、アイセンサ１１０の出力信号が検出されたか否かの確認を行う。ここで、アイセンサ１１０の出力信号が検出された場合には、ステップＳ２０４の処理に進む。また、アイセンサ１１０の出力信号が検出されない場合には、ステップＳ２０５の処理に進む。
【０２０２】
ステップＳ２０４において、システム制御部１２０は、システム制御部１２０は、再生装置変更フラグ＝１にセットする。その後、一連の処理を終了して、元の処理に戻る（リターン）。
【０２０３】
また、ステップＳ２０６において、システム制御部１２０は、モニタ切換ボタン１１１ｙからの操作指示信号（オン信号）が発生したか否かを確認する。ここで、モニタ切換ボタン１１１ｙのオン信号が確認された場合には、ステップＳ２０４の処理に進む。また、モニタ切換ボタン１１１ｙのオン信号が確認されない場合には、ステップＳ２０７の処理に進む。
【０２０４】
ステップＳ２０７において、システム制御部１２０は、再生装置変更フラグ＝０にセットする。その後、一連の処理を終了して、元の処理に戻る（リターン）。
【０２０５】
以上のようにして、本実施形態の撮像装置１００における再生装置変更フラグはセットされる。
【０２０６】
図４に戻って、ステップＳ１８において、システム制御部１２０は、再生装置変更処理を実行する。この再生装置変更処理のサブルーチンを図１９に示す。
【０２０７】
この再生装置変更処理は、拡大表示（図４のステップＳ１３）中に再生装置を変更する指示（図４のステップＳ１７）があった場合でも、変更された再生装置に応じたピクセル等倍特定処理（図６のステップＳ４４の処理；図１２，図１４のサブルーチン）を行って、ピクセル等倍の拡大倍率に対応する拡大倍率系列値を特定する処理を行う。
【０２０８】
一般に、拡大表示中に再生装置が変更されると拡大倍率も同時に変わってしまう。そのため、使用者（ユーザ）は、直前に見ていた再生装置の表示と、変更された再生装置の表示との相違によって違和感を持ち、ひいてはカメラの挙動に対して何らかの不具合が発生しているという不審や不安を覚えることが多い。そこで、拡大表示中は、再生装置の変更に伴いピクセル等倍による拡大倍率変更を行わない方がむしろ違和感も少なく使勝手が良い。
【０２０９】
特に、使用者（ユーザ）が手動で拡大倍率を変更する操作を行った場合には、ピクセル等倍の指示が出ていたとしても、使用者（ユーザ）による拡大倍率指示を優先させるのが望ましい。つまり、算出され特定されたピクセル等倍の拡大倍率よりも、使用者（ユーザ）により手動設定された拡大倍率値を優先して、これを用いるのが望ましい。しかしながら、このような処理に限らず、例えば再生装置が変更されたとき、変更された再生装置に応じてピクセル等倍の拡大倍率に変更する処理に加えて、所定のアイコン表示を行う等によって、使用者（ユーザ）に対して、再生装置の変更に伴って表示される画像の拡大倍率が変更された旨、若しくは変更された再生装置側で表示中の画像の拡大倍率も変更されたものであることを明示する等、明示的に警告メッセージを表示させるようにしてもよい。例えば、背面モニターからＥＶＦへの再生装置の変更に伴い、図３４の符号１９０ｃから符号１０８ｄへ切換わり、その時の拡大倍率値をきちんと明示するともにその数値がピクセル等倍による倍率であることを示すＤ／Ｄ（ドットバイドット）アイコンを付加する等の特徴的な表示形態とすることで、無用な混乱を招かず、ユーザーの無用な混乱を招かず、理解を進め、ユーザーによる適切な使いこなしを助長することができる。
【０２１０】
ここで、図１９の再生装置変更処理を詳述する。図１９のステップＳ１５１において、システム制御部１２０は、拡大倍率の設定（図４のステップＳ１６；図６）がなされているか否かの確認を行う。ここで、拡大倍率の設定がピクセル等倍設定である場合には、次のステップＳ１５２の処理に進む。また、拡大倍率の設定がピクセル等倍設定以外である場合には、一連の処理を終了して、元の処理に戻り（リターン）、図４のステップＳ１９の処理に進む。
【０２１１】
ステップＳ１５２において、システム制御部１２０は、ピクセル等倍の拡大倍率を特定するピクセル等倍倍率特定処理を実行する。このピクセル等倍倍率特定処理のサブルーチンを図１２（図６のステップＳ４４の処理）に詳述する。
【０２１２】
続いて、ステップＳ１５３において、システム制御部１２０は、取得した特定値を、今回の拡大表示の際の拡大倍率値として設定（セット）する。その後、一連の処理を終了して、元の処理に戻り（リターン）、図４のステップＳ１９の処理に進む。
【０２１３】
なお、図２０〜図２３は、図１９の再生装置変更処理（図４のステップＳ１８の処理）のサブルーチンについての変形例である。
【０２１４】
図２０は、図１９の再生装置変更処理（図４のステップＳ１８の処理）のサブルーチンの第１変形例である。この第１変形例は、拡大表示（図４のステップＳ１３）中に再生装置を変更する指示（図４のステップＳ１７）があった場合、変更前に使用していた拡大倍率値を、そのまま保持するようにしている。これにより、再生装置の変更操作が行われても、使用者（ユーザ）に与える違和感を少なくすることができる。また、背面モニター１０８の使用中に、使用者（ユーザ）の意図に反してアイセンサ１１０が反応してしまうことによって、使用者（ユーザ）が意図していないのに再生装置の切り換え動作が行われてしまうような場合にも拡大倍率が保持される。したがって、使用者（ユーザ）が、再度背面モニター１０８へと切り換えた場合にも、直前に行っていた拡大倍率での拡大表示を復帰させることができる。したがって、使用者（ユーザ）に違和感を与えることがなく、さらに、意図しない再生装置の切り換え動作から、元の状態に復帰させたときに、元の状態に復帰させるための煩瑣な操作を使用者（ユーザ）に強いることがない。例えば、背面モニターからＥＶＦへの再生装置の変更に伴い、図３４の符号１０８ｄから符号１０９ｄへ切り換わり、拡大倍率が７×のまま保持される。ＥＶＦのピクセル等倍による拡大倍率は５×であるから、７×の拡大倍率表示形態を変更することで、倍率オーバーしていることがユーザーに明示されるように構成すると良い。
【０２１５】
図２０の再生装置変更処理の第１変形例を詳述する。図２０のステップＳ１５１の処理（拡大倍率の設定確認処理）は、図１９と同様である。ここで、拡大倍率の設定がピクセル等倍設定である場合には、次のステップＳ１５１Ａの処理に進む。また、拡大倍率の設定がピクセル等倍設定以外である場合には、一連の処理を終了して、元の処理に戻り（リターン）、図４のステップＳ１９の処理に進む。
【０２１６】
ステップＳ１５１Ａにおいて、システム制御部１２０は、再生フラグチェック処理を実行する。ここで、再生フラグ＝１（１コマ再生モード）である場合には、ステップＳ１５２の処理に進む。また、再生フラグ＝２（拡大再生モード）である場合には、ステップＳ１５１Ｂの処理に進む。そして、再生フラグ＝０（撮像待機モード；ライブビュー（ＬＶ）表示状態）である場合には、一連の処理を終了して、元の処理に戻り（リターン）、図４のステップＳ１９の処理に進む。
【０２１７】
ステップＳ１５１Ｂにおいて、システム制御部１２０は、拡大フラグチェック処理を実行する。ここで、拡大フラグ＝１である場合には、ステップＳ１５２の処理に進む。また、拡大フラグ＝２である場合には、一連の処理を終了して、元の処理に戻り（リターン）、図４のステップＳ１９の処理に進む。
【０２１８】
なお、拡大フラグは、拡大表示が指示された場合の表示形態を示すフラグである。ここで、本実施形態の撮像装置１００の再生モード時における表示形態を、図３３に例示する。
【０２１９】
図３３において、符号１０８Ａ，１０８Ｂ，１０８Ｃに示す矩形状の枠線は、再生装置（ここでは背面モニター１０８とする。ＥＶＦ１０９でも同様）の表示パネルの表示領域を示している。そして、この表示領域内に、被写体４００が表示されている様子を例示している。
【０２２０】
図３３の符号１０８Ａは、通常の再生表示形態の例示である。この表示形態を「１コマ再生モード」というものとする。このとき、再生装置の表示パネルには、その全表示領域を用いて画像データに基く画像の全体が表示される。通常の場合、撮像装置１００を再生モードで動作させたときに「１コマ再生モード」が表示される。
【０２２１】
図３３の符号１０８Ｂは、拡大表示が指示された場合の一表示形態の例示である。この表示形態を「拡大枠表示形態」というものとし、拡大フラグ＝１とする。このとき、再生装置の表示パネルには、その全表示領域を用いて画像データに基く画像の全体が表示されると共に、この画像に重畳させて、拡大表示枠２０８ｗが表示される。同時に、設定されている拡大倍率を表す倍率アイコン２０８ｘが表示される。符号１０８Ａの「１コマ再生モード」の表示中に、例えば拡大ボタン１１１ｘを一回押し下げ操作を行うと「拡大表示枠表示形態」へと表示が切り換わる。拡大表示枠２０８ｗは、拡大表示を行う際の拡大領域を示す枠表示である。符号１０８Ｂの「拡大表示枠表示形態」の表示中に、例えば十字ボタン１１１ｈを操作することで、拡大表示枠２０８ｗを表示領域内で上下左右に移動させることができる。また、背面モニター１０８の表示パネルをタッチ操作することで、拡大表示枠２０８ｗを表示領域内の所望の位置に移動させることができる。
【０２２２】
図３３の符号１０８Ｃは、拡大表示が指示された場合の別の表示形態の例示である。この表示形態を「拡大表示形態」というものとし、拡大フラグ＝２とする。このとき、再生装置の表示パネルには、符号１０８Ｂの拡大表示枠２０８ｗ内の領域の部分画像が、表示パネルの全表示領域の全体に拡大表示される。これと同時に、倍率アイコン２０８ｘも重畳表示される。符号１０８Ｂの「拡大表示枠表示形態」の表示中に、例えば拡大ボタン１１１ｘを一回押し下げ操作を行うと「拡大表示形態」へと表示が切り換わる。また、背面モニター１０８の表示パネルの拡大表示枠２０８ｗの部分をタッチ操作することでも「拡大表示形態」へと表示が切り換わる。
【０２２３】
図２０に戻って、ステップＳ１５２，ステップＳ１５３の各処理は、上述の図１９と同様である。そして、一連の処理を終了して、元の処理に戻り（リターン）、図４のステップＳ１９の処理に進む。
【０２２４】
図２１は、図１９の再生装置変更処理（図４のステップＳ１８の処理）のサブルーチンの第２変形例である。
【０２２５】
上述の第１変形例では、拡大表示中に再生装置の変更操作が行われると拡大倍率が保持されると共に、図２０のステップＳ１５１Ｂにおいて、拡大フラグチェックを行って、拡大フラグ＝２（拡大表示）の場合はリターン処理を行い、拡大フラグ＝１（拡大枠表示）の場合にピクセル等倍倍率特定処理を行うようにしている。この場合、拡大枠表示形態での表示中であれば、表示されている画像自体は１コマ再生モードと同等であるので、拡大倍率はピクセル等倍による倍率に変更されるものの、実際に表示されている画像自体に変化はない。
【０２２６】
したがって、第２変形例は、上述の第１変形例の拡大フラグチェック処理を省略して、再生フラグ＝２（拡大再生モード）の場合もリターン処理としている。
【０２２７】
図２１の再生装置変更処理の第２変形例を詳述する。図２１のステップＳ１５１の処理（拡大倍率の設定確認処理）の処理は、図１９，図２０と同様である。ここで、拡大倍率の設定がピクセル等倍設定である場合には、次のステップＳ１５１Ｃの処理に進む。また、拡大倍率の設定がピクセル等倍設定以外である場合には、一連の処理を終了して、元の処理に戻り（リターン）、図４のステップＳ１９の処理に進む。
【０２２８】
ステップＳ１５１Ｃにおいて、システム制御部１２０は、再生フラグチェック処理を実行する。ここで、再生フラグ＝１（１コマ再生モード）である場合には、ステップＳ１５２の処理に進む。また、再生フラグ＝０又は２（撮像待機モード又は拡大再生モード）である場合には、一連の処理を終了して、元の処理に戻り（リターン）、図４のステップＳ１９の処理に進む。
【０２２９】
ステップＳ１５２，ステップＳ１５３の各処理は、上述の図１９，図２０と同様である。そして、一連の処理を終了して、元の処理に戻り（リターン）、図４のステップＳ１９の処理に進む。
【０２３０】
図２２は、図１９の再生装置変更処理（図４のステップＳ１８の処理）のサブルーチンの第３変形例である。この第３変形例は、拡大表示（図４のステップＳ１３）中に再生装置を変更する指示（図４のステップＳ１７）があった場合、一旦、拡大表示を解除して、拡大枠表示形態（画像自体は１コマ再生モードと同等の表示）に戻す処理を行う。その後、再生装置に応じたピクセル等倍の拡大倍率値をセットする。
【０２３１】
これにより、再生装置の変更操作が行われたときには、拡大表示を一旦解除し、拡大画像の表示中に異なる拡大倍率での拡大画像へと切り換わるような表示を避けて、画像全体が表示される拡大枠表示形態での表示を行うようにしている。
【０２３２】
使用者（ユーザ）は、ここから拡大ボタン１１１ｘなどによる拡大操作を行うことで、再生装置に応じた拡大表示を行うことができる。したがって、使用者（ユーザ）が受ける違和感を緩和することができる。なお、本変形例では、再生フラグチェック処理は省略している。
【０２３３】
図２２の再生装置変更処理の第３変形例を詳述する。図２２のステップＳ１５１の処理（拡大倍率の設定確認処理）は、図１９，図２０，図２１と同様である。ここで、拡大倍率の設定がピクセル等倍設定である場合には、次のステップＳ１５１Ｂの処理に進む。また、拡大倍率の設定がピクセル等倍設定以外である場合には、ステップＳ１５４の処理に進む。
【０２３４】
ステップＳ１５１Ｂにおいて、システム制御部１２０は、拡大フラグチェック処理を実行する。ここで、拡大フラグ＝１（拡大枠表示）である場合には、ステップＳ１５２の処理に進む。また、拡大フラグ＝２（拡大表示）である場合には、ステップＳ１５４の処理に進む。
【０２３５】
ステップＳ１５４において、システム制御部１２０は、拡大フラグ＝１（拡大枠表示）にセットする。その後、ステップＳ１５２の処理に進む。
【０２３６】
ステップＳ１５２，ステップＳ１５３の各処理は、上述の図１９，図２０，図２１と同様である。そして、一連の処理を終了して、元の処理に戻り（リターン）、図４のステップＳ１９の処理に進む。
【０２３７】
図２３は、図１９の再生装置変更処理（図４のステップＳ１８の処理）のサブルーチンの第４変形例である。この第４変形例は、再生動作時に拡大倍率の手動変更操作が行われた場合には、ピクセル等倍特定処理を行わずに、設定された拡大倍率値を保持する処理を行う。したがって、拡大表示（図４のステップＳ１３）中に再生装置を変更する指示（図４のステップＳ１７）があった場合でも、設定された拡大倍率値が維持される。
【０２３８】
図２３の再生装置変更処理の第４変形例を詳述する。図２３のステップＳ１５１の処理（拡大倍率の設定確認処理）は、図１９，図２０，図２１，図２２と同様である。ここで、拡大倍率の設定がピクセル等倍設定である場合には、次のステップＳ１５５の処理に進む。また、拡大倍率の設定がピクセル等倍設定以外である場合には、ステップＳ１５７の処理に進む。
【０２３９】
ステップＳ１５５において、システム制御部１２０は、拡大倍率変更操作が手動にて行われたか否かの確認を行う。ここで、拡大倍率手動変更操作が確認された場合には、ステップＳ１５７の処理に進む。また、拡大倍率手動変更操作が確認されなかった場合には、ステップＳ１５６の処理に進む。
【０２４０】
ステップＳ１５６において、システム制御部１２０は、拡大倍率手動変更フラグ＝０（変更なし）にセットする。その後、ステップＳ１５２の処理に進む。
【０２４１】
ステップＳ１５７において、システム制御部１２０は、拡大倍率手動変更フラグ＝１（変更あり）にセットする。その後、一連の処理を終了して、元の処理に戻り（リターン）、図４のステップＳ１９の処理に進む。
【０２４２】
ステップＳ１５２，ステップＳ１５３の各処理は、上述の図１９，図２０，図２１，図２２と同様である。そして、一連の処理を終了して、元の処理に戻り（リターン）、図４のステップＳ１９の処理に進む。
【０２４３】
図４に戻って、ステップＳ１９において、システム制御部１２０は、再生装置変更フラグ＝０をセットする。
【０２４４】
続いて、ステップＳ２０において、システム制御部１２０は、コマ送り操作又はコマ戻し操作が行われたか否かの確認を行う。ここで、コマ送り操作又はコマ戻し操作は、再生装置（１０８，１０９）への画像表示中に、例えば十字ボタン１１１ｈの左右ボタンの操作や操作ダイヤル１１１ｉの回転操作又は背面モニター１０８の表示パネル上のタッチパネルの左右領域へのタッチ及びスライド操作などが相当する。
【０２４５】
この場合において、これらの操作部材（十字ボタン１１１ｈの左右ボタン，操作ダイヤル１１１ｉ，タッチパネル）を操作することによって発生する所定の指示信号が、システム制御部１２０へと伝達され、これを受けてシステム制御部１２０は、２つの表示装置のいずれかへ送出する（表示する）画像の変更制御を行う。つまり、これにより、十字ボタン１１１ｈの左右ボタン，操作ダイヤル１１１ｉ，タッチパネル及びシステム制御部１２０は、再生装置へと送出する送出対象とする画像の変更を指示するための操作部材であり、送出画像変更部として機能する。
【０２４６】
このステップＳ２０の処理にて、コマ送り操作又はコマ戻し操作が確認された場合には、次のステップＳ２１の処理に進む。また、コマ送り操作又はコマ戻し操作が確認されない場合には、一連の処理を終了して、元の処理に戻り（リターン）、図３のステップＳ４の処理に進む。
【０２４７】
続いて、ステップＳ２１において、システム制御部１２０は、再生コマ変更処理を実行する。この再生コマ変更処理のサブルーチンを図２４に詳述する。
【０２４８】
この再生コマ変更処理は、拡大表示（図４のステップＳ１３）中に再生コマを変更する指示（図４のステップＳ２０）があった場合でも、変更された再生コマに応じたピクセル等倍特定処理（図６のステップＳ４４の処理；図１２，図１４のサブルーチン）を行って、ピクセル等倍の拡大倍率に対応する拡大倍率系列値を特定する処理を行う。
【０２４９】
つまり、この場合において、システム制御部１２０は、送出対象画像の変更に応じてピクセル等倍の拡大倍率（第１拡大倍率）を拡大倍率系列値（第２拡大倍率）へ変更して、表示対象画像の拡大倍率を指示する拡大倍率指示部として機能する。
【０２５０】
ここで、拡大倍率指示部としてのシステム制御部１２０は、拡大倍率系列（第２拡大倍率）に含まれる複数の拡大倍率の中から、ピクセル等倍の拡大倍率（第１拡大倍率）に対応する一つの拡大倍率を選択する処理を行う。
【０２５１】
一般に、拡大表示中に再生コマが変更された場合、撮像時の画像サイズや画質モード等の設定によっては拡大倍率がコマ毎に変わることがある。そのため、使用者（ユーザ）は、直前に見ていた表示画像と、表示画像変更操作（コマ送り操作又はコマ戻し操作）によって変更された再生コマの表示画像の相違に違和感や不安感を持つことがある。そこで、このような違和感や不安感を払拭するために、例えばコマ変更によって拡大倍率が変更された場合などには、その旨の表示を示す警告メッセージ等を表示させるようにしてもよい。
【０２５２】
ここで、図２４の再生コマ変更処理を詳述する。図２４のステップＳ１６１において、システム制御部１２０は、拡大倍率の設定（図４のステップＳ１６；図６）がなされているか否かの確認を行う。ここで、拡大倍率の設定がピクセル等倍設定である場合には、次のステップＳ１６２の処理に進む。また、拡大倍率の設定がピクセル等倍設定以外である場合には、一連の処理を終了して、元の処理に戻り（リターン）、図３のステップＳ４の処理に進む。
【０２５３】
ステップＳ１６２において、システム制御部１２０は、ピクセル等倍の拡大倍率を特定するピクセル等倍倍率特定処理を実行する。このピクセル等倍倍率特定処理のサブルーチンは図１２（図６のステップＳ４４の処理）で説明したものと同じである。
【０２５４】
続いて、ステップＳ１６３において、システム制御部１２０は、取得した特定値を、今回の拡大表示の際の拡大倍率値として設定（セット）する。その後、一連の処理を終了して、元の処理に戻り（リターン）、図３のステップＳ４の処理に進む。
【０２５５】
なお、図２５〜図２７は、図２４の再生コマ変更処理（図４のステップＳ２１の処理）のサブルーチンについての変形例である。
【０２５６】
図２５は、図２４の再生コマ変更処理（図４のステップＳ２１の処理）のサブルーチンの第１変形例である。この第１変形例は、拡大表示（図４のステップＳ１３）中に再生コマを変更する指示（図４のステップＳ２０）があった場合、変更前の拡大倍率値を、そのまま保持するようにしている。これにより、再生コマの変更操作が行われても、使用者（ユーザ）に与える違和感を少なくすることができる。
【０２５７】
図２５の再生コマ変更処理の第１変形例を詳述する。図２５のステップＳ１６１の処理（拡大倍率の設定確認処理）は、図２４と同様である。ここで、拡大倍率の設定がピクセル等倍設定である場合には、次のステップＳ１６１Ａの処理に進む。また、拡大倍率の設定がピクセル等倍設定以外である場合には、一連の処理を終了して、元の処理に戻り（リターン）、図３のステップＳ４の処理に進む。
【０２５８】
ステップＳ１６１Ａにおいて、システム制御部１２０は、再生フラグチェック処理を実行する。ここで、再生フラグ＝１（１コマ再生モード）である場合には、ステップＳ１６２の処理に進む。また、再生フラグ＝２（拡大再生モード）である場合には、ステップＳ１６１Ｂの処理に進む。そして、再生フラグ＝０（撮像待機モード；ライブビュー（ＬＶ）表示状態）である場合には、一連の処理を終了して、元の処理に戻り（リターン）、図３のステップＳ４の処理に進む。
【０２５９】
ステップＳ１６１Ｂにおいて、システム制御部１２０は、拡大フラグチェック処理を実行する。ここで、拡大フラグ＝１である場合には、ステップＳ１６２の処理に進む。また、拡大フラグ＝２である場合には、一連の処理を終了して、元の処理に戻り（リターン）、図３のステップＳ４の処理に進む。
【０２６０】
ステップＳ１６２，ステップＳ１６３の各処理は、上述の図２４と同様である。そして、一連の処理を終了して、元の処理に戻り（リターン）、図３のステップＳ４の処理に進む。
【０２６１】
図２６は、図２４の再生コマ変更処理（図４のステップＳ２１の処理）のサブルーチンの第２変形例である。この第２変形例は、上述の第１変形例の拡大フラグチェック処理を省略して、再生フラグ＝２（拡大再生モード）の場合もリターン処理としている。
【０２６２】
図２６の再生コマ変更処理の第２変形例を詳述する。図２６のステップＳ１６１の処理（拡大倍率の設定確認処理）の処理は、図２４，図２５と同様である。ここで、拡大倍率の設定がピクセル等倍設定である場合には、次のステップＳ１６１Ｃの処理に進む。また、拡大倍率の設定がピクセル等倍設定以外である場合には、一連の処理を終了して、元の処理に戻り（リターン）、図３のステップＳ４の処理に進む。
【０２６３】
ステップＳ１６１Ｃにおいて、システム制御部１２０は、再生フラグチェック処理を実行する。ここで、再生フラグ＝１（１コマ再生モード）である場合には、ステップＳ１６２の処理に進む。また、再生フラグ＝０又は２（撮像待機モード又は拡大再生モード）である場合には、一連の処理を終了して、元の処理に戻り（リターン）、図３のステップＳ４の処理に進む。
【０２６４】
ステップＳ１６２，ステップＳ１６３の各処理は、上述の図２４，図２５と同様である。そして、一連の処理を終了して、元の処理に戻り（リターン）、図３のステップＳ４の処理に進む。
【０２６５】
図２７は、図２４の再生コマ変更処理（図４のステップＳ２１の処理）のサブルーチンの第３変形例である。この第３変形例は、再生動作時に拡大倍率の手動変更操作が行われた場合には、ピクセル等倍特定処理を行わずに、設定された拡大倍率値を保持する処理を行う。したがって、拡大表示（図４のステップＳ１３）中に再生コマを変更する指示（図４のステップＳ２０）があった場合でも、設定された拡大倍率値が維持される。
【０２６６】
図２７の再生コマ変更処理の第３変形例を詳述する。図２７のステップＳ１６１の処理（拡大倍率の設定確認処理）は、図２４，図２５，図２６と同様である。ここで、拡大倍率の設定がピクセル等倍設定である場合には、次のステップＳ１６５の処理に進む。また、拡大倍率の設定がピクセル等倍設定以外である場合には、ステップＳ１６７の処理に進む。
【０２６７】
ステップＳ１６５において、システム制御部１２０は、拡大倍率変更操作が手動にて行われたか否かの確認を行う。ここで、拡大倍率手動変更操作が確認された場合には、ステップＳ１６７の処理に進む。また、拡大倍率手動変更操作が確認されなかった場合には、ステップＳ１６６の処理に進む。
【０２６８】
ステップＳ１６６において、システム制御部１２０は、拡大倍率手動変更フラグ＝０（変更なし）にセットする。その後、ステップＳ１６２の処理に進む。
【０２６９】
ステップＳ１６７において、システム制御部１２０は、拡大倍率手動変更フラグ＝１（変更あり）にセットする。その後、一連の処理を終了して、元の処理に戻り（リターン）、図３のステップＳ４の処理に進む。
【０２７０】
ステップＳ１６２，ステップＳ１６３の各処理は、上述の図２４，図２５，図２６と同様である。そして、一連の処理を終了して、元の処理に戻り（リターン）、図３のステップＳ４の処理に進む。
【０２７１】
こうして図３に戻り、ステップＳ４の処理に進むと、このステップＳ４において、システム制御部１２０は、再生状態変更処理を実行する。この再生状態変更処理のサブルーチンを図７に示す。この再生状態変更処理は、再生操作フラグ処理（図４）で生成されたフラグに基づいて、再生状態の変更を行う。即ち、当該再生状態変更処理は、設定されている再生フラグと拡大フラグとに応じて再生状態を実現するための処理である。
【０２７２】
簡略に言うと、再生フラグ＝０の場合は、再生を停止して、ライブビュー表示を行う撮像待機状態に戻る。また、再生フラグ＝１の場合は、指定の画像コマを１×で、指定の表示装置に再生する。そして、再生フラグ＝２かつ拡大フラグ＝１の場合は、指定の画像コマを１×で、指定の表示装置に再生し、かつ指定の拡大倍率に応じた拡大表示枠を重畳表示する。さらに、再生フラグ＝２かつ拡大フラグ＝２の場合は、指定の画像コマを、指定の拡大倍率で切り出し拡大表示する。
【０２７３】
ここで、再生状態変更処理のサブルーチンを図７を用いて以下に詳述する。
【０２７４】
図７のステップＳ５１において、システム制御部１２０は、再生フラグチェック処理を実行する。ここで、再生フラグ＝０（撮像待機）である場合には、ステップＳ５２の処理に進む。また、再生フラグ＝１（１コマ再生）である場合には、ステップＳ５３の処理に進む。そして、再生フラグ＝２（拡大再生）である場合には、ステップＳ５４の処理に進む。
【０２７５】
ステップＳ５２において、システム制御部１２０は、再生停止状態にあることを確認して、ステップＳ５５の処理に進む。そして、ステップＳ５５において、システム制御部１２０は、拡大倍率手動変更フラグをリセットする（拡大倍率手動変更フラグ＝０に設定する）。その後、一連の処理を終了して、元の処理に戻り（リターン）、図３のステップＳ５の処理に進む。
【０２７６】
ステップＳ５３において、システム制御部１２０は、１コマ再生処理を実行する。この１コマ再生処理のサブルーチンを図８に示し、詳細は後述する。その後、ステップＳ５５の処理に進む。そして、ステップＳ５５において、システム制御部１２０は、拡大倍率手動変更フラグをリセットする（拡大倍率手動変更フラグ＝０に設定する）。その後、一連の処理を終了して、元の処理に戻り（リターン）、図３のステップＳ５の処理に進む。
【０２７７】
ステップＳ５４において、システム制御部１２０は、拡大再生処理を実行する。この拡大再生処理のサブルーチンを図９に示し、詳細は後述する。その後、一連の処理を終了して、元の処理に戻り（リターン）、図３のステップＳ５の処理に進む。
【０２７８】
ここで、１コマ再生処理（図７のステップＳ５３の処理）について、図８によって詳述する。
【０２７９】
１コマ再生時には、高速表示や、高速コマ送り／コマ戻し動作が望まれる。そのためには、再生表示処理の対象とする画像データは小さい方が望ましい。一般に、画質モードがＪＰＥＧ画像のみで記録された画像データでは、その主画像が大きい場合（Ｌａｒｇｅ設定の場合など）は、主画像よりも小さいスクリーンネイル画像（確認表示用のＪＰＥＧ画像）が、画像データに含まれている場合がある。また、画質モードがＲＡＷ画像で記録された画像データにも、同様のスクリーンネイル画像が含まれているのが一般である。したがって、画質モードがＪＰＥＧ画像で主画像が大きい場合，ＲＡＷ画像の場合などには、スクリーンネイル画像を表示させる処理が行われる。また、画質モードがＲＡＷ画像＋ＪＰＥＧ画像の場合には、ＪＰＥＧ画像を表示用画像として優先させて表示するようにしている。
【０２８０】
図８のステップＳ６１において、システム制御部１２０は、画質モードチェック処理を実行する。ここで、画質モードフラグ＝０（ＲＡＷ画像のみ）の場合には、ステップＳ６４の処理に進む。また、画質モードフラグ＝１（ＲＡＷ＋ＪＰＥＧ画像）の場合、又は画質モードフラグ＝２の場合には、ステップＳ６２の処理に進む。
【０２８１】
ステップＳ６２において、システム制御部１２０は、ＪＰＥＧ画像に付随するスクリーンネイル画像が存在するか否かの確認を行う。ここで、スクリーンネイル画像が存在する場合には、ステップＳ６４の処理に進む。また、スクリーンネイル画像がない場合には、ステップＳ６３の処理に進む。
【０２８２】
ステップＳ６３において、システム制御部１２０は、再生を指定した画像コマのＪＰＥＧ画像の主画像を、拡大倍率１×（１コマ再生）設定で、指定の再生装置を用いて表示する。その後、一連の処理を終了して、元の処理に戻り（リターン）、図３のステップＳ５の処理に進む。
【０２８３】
ステップＳ６４において、システム制御部１２０は、再生を指定した画像コマのスクリーンネイル画像を、拡大倍率１×（１コマ再生）設定で、指定の再生装置を用いて表示する。その後、一連の処理を終了して、元の処理に戻り（リターン）、図３のステップＳ５の処理に進む。
【０２８４】
次に、拡大再生処理（図７のステップＳ５４の処理）について、図９によって詳述する。
【０２８５】
図９のステップＳ７１において、システム制御部１２０は、拡大フラグチェック処理を実行する。ここで、拡大フラグ＝１の場合は、ステップＳ７２の処理に進む。また、拡大フラグ＝２の場合は、ステップＳ７４の処理に進む。
【０２８６】
ステップＳ７２において、システム制御部１２０は、１コマ再生処理（図８；図７のステップＳ５３の処理）を実行する。
【０２８７】
続いてステップＳ７３において、システム制御部１２０は、拡大枠を表示する。その後、一連の処理を終了して、元の処理に戻り（リターン）、図３のステップＳ５の処理に進む。
【０２８８】
一方、ステップＳ７４において、システム制御部１２０は、画質モードチェック処理を実行する。ここで、画質モードフラグ＝０（ＲＡＷ画像のみ）の場合には、ステップＳ７６の処理に進む。また、画質モードフラグ＝１（ＲＡＷ＋ＪＰＥＧ画像）の場合、又は画質モードフラグ＝２の場合には、ステップＳ７５の処理に進む。
【０２８９】
ステップＳ７５において、システム制御部１２０は、再生を指定した画像コマのＪＰＥＧ画像の主画像を、指定の拡大倍率設定で、指定の再生装置を用いて表示する。その後、ステップＳ７７の処理に進む。
【０２９０】
ステップＳ７６において、システム制御部１２０は、再生を指定した画像コマのスクリーンネイル画像を、指定の拡大倍率設定で、指定の再生装置を用いて表示する。その後、ステップＳ７７の処理に進む。
【０２９１】
ステップＳ７７において、システム制御部１２０は、ピクセル等倍警告処理を実行する。このピクセル等倍警告処理のサブルーチンを図１１に示し、詳細は後述する。その後、一連の処理を終了して、元の処理に戻り（リターン）、図３のステップＳ５の処理に進む。
【０２９２】
なお、このピクセル等倍警告処理は、拡大再生画像が、指定されている再生装置にとって、ピクセル等倍の拡大倍率（第１拡大倍率）か又はそれに近い拡大倍率である旨、又は、ピクセル等倍の拡大倍率（第１拡大倍率）を超えて拡大表示される旨の警告を表示する処理である。この場合において、ピクセル等倍警告処理は、主にシステム制御部１２０によって実行される。これにより、システム制御部１２０は、第１拡大倍率であることを警告するか、又は第１拡大倍率よりも大きい拡大倍率であることを警告する警告部として機能する。
【０２９３】
図１０は、図９の拡大再生処理（図７のステップＳ５４の処理）の変形例である。この変形例は、画質モードチェックの処理が若干異なる。
【０２９４】
図１０の拡大再生処理の変形例を詳述する。図１０のステップＳ７１〜Ｓ７３の処理は図９と同様である。
【０２９５】
ステップＳ７１の拡大フラグチェック処理にて、拡大フラグ＝２の場合に、ステップＳ７４Ａに進むと、このステップＳ７４Ａにおいて、システム制御部１２０は、画質モードチェック処理を実行する。本変形例における画質モードチェック処理では、画質モードフラグ＝０（ＲＡＷ画像のみ）の場合にステップＳ７６の処理に進むのは図９と同様である。また、画質モードフラグ＝２の場合にステップＳ７５の処理に進むのも図９と同様である。ここで、ステップＳ７５，Ｓ７６の処理は、図９と同様である。その後、ステップＳ７７の処理に進む。このステップＳ７７の処理も図９と同様である。
【０２９６】
本変形例においては、ステップＳ７４Ａにおいて、画質モードフラグ＝１（ＲＡＷ＋ＪＰＥＧ画像）の場合には、ステップＳ７８の処理に進む。
【０２９７】
ステップＳ７８において、システム制御部１２０は、ＪＰＥＧ画像（４：３）の主画像の縦画素数と、ＲＡＷ画像のスクリーンネイルの縦画素数とのうち大きい方を、指定の拡大倍率設定で、指定の再生装置を用いて表示する。その後、ステップＳ７７の処理（図１１）に進む。
【０２９８】
そして、ステップＳ７７の処理が完了したら、一連の処理を終了して、元の処理に戻り（リターン）、図３のステップＳ５の処理に進む。
【０２９９】
ここで、図１１のピクセル等倍警告処理のサブルーチン（図９，図１０のステップＳ７７の処理）を図１１を用いて以下に詳述する。
【０３００】
図１１のステップＳ８１において、システム制御部１２０は、特定されている拡大倍率が、表示装置に対応したピクセル等倍の拡大倍率（またはそれに近い拡大倍率）であるか否かの確認を行う。ここで、表示装置のピクセル等倍の拡大倍率が特定拡大倍率であることが確認された場合には、ステップＳ８２の処理に進む。また、表示装置のピクセル等倍の拡大倍率が特定拡大倍率ではないことが確認された場合には、ステップＳ８３の処理に進む。
【０３０１】
ステップＳ８２において、システム制御部１２０は、ピクセル等倍で表示している旨を表す所定のアイコン（ピクセル等倍アイコンという）などを、表示中の画像に重畳させて表示させる。その後、ステップＳ８３の処理に進む。
【０３０２】
ステップＳ８３において、システム制御部１２０は、ピクセル等倍の拡大倍率が、特定されている拡大倍率よりも大であるか否かの確認を行う。ここで、ピクセル等倍の拡大倍率が特定の拡大倍率よりも大である場合には、ステップＳ８４の処理に進む。また、ピクセル等倍の拡大倍率が特定の拡大倍率よりも大ではない（同等か又は小である）場合には、一連の処理を終了して、元の処理に戻り（リターン）、図３のステップＳ５の処理に進む。
【０３０３】
ステップＳ８４において、システム制御部１２０は、特定されている拡大倍率がピクセル等倍の拡大倍率を超えている旨の警告を表示する。その後、一連の処理を終了して、元の処理に戻り（リターン）、図３のステップＳ５の処理に進む。
【０３０４】
ここで、ピクセル等倍アイコン及び警告表示アイコンの表示例を図３４，図３５の符号２０８ｙによって示す。図３４において符号１０９ａ〜１０９ｆはＥＶＦ１０９の拡大表示が切り換わる様子を示している。同様に、図３４において符号１０８ａ〜１０８ｆは背面モニター１０８の表示が切り換わる様子を示している。
【０３０５】
この場合において、拡大表示の切り換えは、操作ダイヤル１１１ｃを用いている。操作ダイヤル１１１ｃは、例えば１クリック毎に、拡大倍率系列（２×，３×，５×，７×，１０×，１４×）を順次を繰り上げ（倍率アップ）又は繰り下げ（倍率ダウン）させるように構成されている。そして、図３４に示す例では、左回転（反時計回り）操作で倍率アップ、右回転（時計回り）操作で倍率ダウンとしている。
【０３０６】
そして、図３４，図３５において、表示領域内に符号２０８ｘで示す倍率アイコンと、現在の表示がピクセル等倍表示である旨を示すピクセル等倍アイコン２０８ｙとを並べて表示している。
【０３０７】
ピクセル等倍アイコン２０８ｙは、ドットバイドットを示す「Ｄ／Ｄ」等の文字列に加えて、この文字列を囲む細枠線によって構成されている例示である。これらのアイコンが、図３５に示すように、表示画像に重畳表示されている。なお、図３４においては、表示領域内に表示される画像の図示は、図面の煩雑化を避けるために省略している。
【０３０８】
図３５の状態（図３４の符号１０９ｃ，１０８ｄが相当する）において、さらに操作ダイヤル１１１ｃの左回転操作（倍率アップ）を行うと、拡大倍率は、ピクセル等倍の拡大倍率を超える。この場合には、各アイコンは、図３６（図３４の符号１０９ｄ〜１０９ｆ，符号１０８ｅ，１０８ｆ）に示すように変更される。この場合の例示では、倍率アイコン２０８ｘを囲む太枠線２０８ｚが新たに出現している。この太枠線２０８ｚは、ピクセル等倍の拡大倍率を超えて拡大表示されている旨を表す警告表示である。
【０３０９】
また、図３７は、ピクセル等倍の拡大倍率を超えて拡大表示されている旨を表す警告表示アイコンの変形例である。図３７に示す例示では、通常の倍率アイコン２０８ｘに並べて表示されるピクセル等倍アイコンの形態が異なる。この変形例のピクセル等倍アイコンは、「Ｄ／Ｄ」の文字列が太枠線２０８ｓによって囲まれている形態としている。
【０３１０】
なお、ここでは、上記警告表示の例示として、太枠線２０８ｚ，２０８ｓが表示される形態を示したが、その他の表示例としては、これらの太枠線２０８ｚ，２０８ｓに代えて、文字列の色を変化させるような表示としてもよい。
【０３１１】
図３に戻って、ステップＳ５において、システム制御部１２０は、ファースト（１ｓｔ．）レリーズのオン信号出力の確認を行う。ここで、ファーストレリーズオン信号が確認されると、次のステップＳ６の処理に進む。また、ファーストレリーズオン信号が確認されない場合は、上述のステップＳ１の処理に戻る。
【０３１２】
ステップＳ６において、システム制御部１２０は、ファーストレリーズオン処理を実行する。このファーストレリーズオン処理自体は、従来一般的に実用化されている撮像装置で適用されているものと同様の処理である。例えば、ＡＦ処理及びＡＥ処理などを実行し、撮像動作に関わる各種のパラメータを撮像環境に合わせて設定するといった処理である。
【０３１３】
続いてステップＳ７において、システム制御部１２０は、セカンド（２ｎｄ．）レリーズのオン信号出力の確認を行う。ここで、セカンドレリーズオン信号が確認されると、次のステップＳ７の処理に進む。また、セカンドレリーズオン信号が確認されない場合は、上述のステップＳ１の処理に戻る。
【０３１４】
ステップＳ８において、システム制御部１２０は、静止画撮像処理を実行する。この静止画撮像処理のサブルーチンを図２８に示す。
【０３１５】
図２８のステップＳ１７１において、システム制御部１２０は、撮像素子１０４の受光面を撮像光学系の光路上に露呈させる処理（例えばシャッター開動作処理など）を実行する。
【０３１６】
続いてステップＳ１７２において、システム制御部１２０は、撮像素子読み出し処理を実行する。
【０３１７】
続いてステップＳ１７３において、システム制御部１２０は、画質モードフラグチェック処理を実行する。ここで、画質モードフラグ＝０（ＲＡＷ画像のみ）の場合はステップＳ１７９の処理に進む。また、画質モードフラグ＝１（ＲＡＷ＋ＪＰＥＧ）の場合、又は画質モードフラグ＝２（ＪＰＥＧのみ）の場合はステップＳ１７４の処理に進む。
【０３１８】
ステップＳ１７４において、システム制御部１２０は、ＪＰＥＧ画像における主画像を作成する処理を実行する。ここで、ＪＰＥＧ画像の主画像とは、画質モード設定にてＪＰＥＧ画像のみ記録する設定において、指定されたＪＰＥＧ画像の画像サイズ（Ｌ，Ｍ，Ｓ）に応じた最終的な出力を得るための画像データである。
【０３１９】
続いてステップＳ１７５において、システム制御部１２０は、記録する画像サイズの設定を確認する。ここで、画像サイズ＝Ｌ（ａｒｇｅ）の場合には、次のステップＳ１７６の処理に進む。また、画像サイズ＝Ｌ以外（Ｓ又はＭ）の場合にはステップＳ１７７の処理に進む。
【０３２０】
ステップＳ１７６において、システム制御部１２０は、ＪＰＥＧ画像用スクリーンネイル画像を作成する処理を実行する。
【０３２１】
続いてステップＳ１７７において、システム制御部１２０は、ＪＰＥＧ画像のデータファイルを作成する処理を実行する。ここで作成されるＪＰＥＧ画像データファイルは、通常のＪＰＥＧ画像データ形式に準拠するものである。即ち、ＪＰＥＧ主画像データ（設定に応じたＬ，Ｍ，Ｓサイズの画像データ）と、各種のヘッダ情報を含む画像データファイルである。なお、この場合において、ＪＰＥＧ主画像データの画像サイズがＬサイズ設定の場合には、主画像よりも小サイズの表示用画像であるスクリーンネイル画像も含まれる。
【０３２２】
続いてステップＳ１７８において、システム制御部１２０は、画質モードが「ＲＡＷ＋ＪＰＥＧ」であるか否かの確認を行う。ここで、「ＲＡＷ＋ＪＰＥＧ」である場合は、ステップＳ１７９の処理に進む。また、「ＲＡＷ＋ＪＰＥＧ」ではない場合（即ちＪＰＥＧのみの場合）は、ステップＳ１８２の処理に進む。
【０３２３】
ステップＳ１７９において、システム制御部１２０は、ＲＡＷ画像用スクリーンネイル作成処理を実行する。このＲＡＷ画像用スクリーンネイル作成処理のサブルーチンを図２９に示し、詳細は後述する。その後、ステップＳ１８０の処理に進む。
【０３２４】
ステップＳ１８０において、システム制御部１２０は、ＲＡＷ画像データの圧縮データを作成する処理を実行する。
【０３２５】
続いてステップＳ１８１において、システム制御部１２０は、ＲＡＷ画像データの圧縮画像ファイルを作成する処理を実行する。
【０３２６】
続いてステップＳ１８２において、システム制御部１２０は、取得した画像データを記憶媒体に記録する所定の記録処理を実行する。なお、この記録処理は、従来一般的に実用化されている撮像装置で適用されているものと同様の処理である。したがって、その説明は省略する。その後、一連の処理を終了して、元の処理に戻り（リターン）、図３のステップＳ９の処理に進む。
【０３２７】
ここで、ＲＡＷ画像用スクリーンネイル作成処理のサブルーチンを、図２９を用いて以下に説明する。
【０３２８】
ＲＡＷ画像データに付随するスクリーンネイル画像の画像サイズは、通常の場合、ピクセル等倍で表示させたときの画質を優先して、Ｌ（ａｒｇｅ）サイズのＪＰＥＧ画像としているのが一般である。しかしながら、画像サイズが大きくなれば、画像ファイルサイズが大きくなり、その結果、記録領域を圧迫するという問題が生じる。これと共に、例えばＲＡＷ画像のみで撮像動作を行った場合に再生表示を行うには、ＲＡＷ画像データに付随するスクリーンネイル画像が用いられるが、このスクリーンネイル画像の画像サイズが大きければ、再生表示を行う際の負荷も大きくなる。したがって、画像の表示速度を優先する場合には、スクリーンネイル画像の画像サイズは小さい方が望ましい。
【０３２９】
そこで、本実施形態の撮像装置１００においては、使用者（ユーザ）が所望する用途に応じて、ＲＡＷ画像データに付随するスクリーンネイル画像の画像サイズの大小を予め不図示のメニューで設定するようにしている。
【０３３０】
具体的には例えば、使用者（ユーザ）が撮像した後に画像チェックを行うために画像の再生表示をする際に、ピクセル等倍で表示させたときの画質を優先する場合には、ＲＡＷ画像のスクリーンネイル画像としては、Ｌサイズの画像サイズを有するＪＰＥＧ画像を作成する。
【０３３１】
一方、再生表示時のコマ送り速度を優先する場合には、ＲＡＷ画像のスクリーンネイル画像としては、Ｍサイズの第１スクリーンネイル画像を作成すると共に、この第１スクリーンネイル画像よりも小サイズの第２スクリーンネイル画像を作成するようにしている。
【０３３２】
この場合において、第２スクリーンネイル画像は、例えばＡＦ動作によってピントを合わせた位置を中心とする所定の領域や、又はタッチ操作によって指示される２点間の複数・を中心とする所定の領域の複数の画像データとする。さらに、各画像データは、ピクセル等倍の拡大倍率で表示したとき表示装置の表示領域のほぼ全領域をカバーする画像サイズのものとする。
【０３３３】
つまり、第２スクリーンネイル画像は、ピクセル等倍の拡大表示を行ってピントチェックをするのに適するように、元の画像データから所定の領域を切り出して作成する小サイズの画像である。
【０３３４】
このように、データ量のコンパクトな第２のスクリーンネイル画像を用意すると共に、第１スクリーンネイル画像はＭサイズとしてので、これらのスクリーンネイル画像を含むＲＡＷ画像データファイルの総容量は大きく増大することはない。
【０３３５】
したがって、これにより、画像データファイルの総容量を増大させることなく、コマ送り速度を落とすこともなく、かつ精密なピント確認をも可能とすることができる。
【０３３６】
図２９のステップＳ１９１において、システム制御部１２０は、ＲＡＷ画像用スクリーンネイル画像の画像サイズについて、予め設定されている画像サイズの確認を行う。ここで、ピクセル等倍での表示画質を優先する設定である場合にはステップＳ１９２の処理に進む。また、コマ送り速度を優先する設定である場合にはステップＳ１９３の処理に進む。
【０３３７】
ステップＳ１９２において、システム制御部１２０は、Ｌサイズのスクリ−ンネイル画像を生成する。その後、一連の処理を終了して、元の処理に戻り（リターン）、図２８のステップＳ１８０の処理に進む。
【０３３８】
ステップＳ１９３において、システム制御部１２０は、Ｍサイズのスクリ−ンネイル画像を生成する。
【０３３９】
続いてステップＳ１９４において、システム制御部１２０は、一画像中の焦点調節ポイント指示点が２点存在するか否かの確認を行う。
【０３４０】
ここで、一画像中の焦点調節ポイント指示点が２点存在する場合とは、例えばフォーカスブラケット撮像動作を行って深度合成処理をした結果取得される画像データなどが相当する。
【０３４１】
なお、フォーカスブラケット撮像動作とは、設定した範囲内で焦点調節位置を変更しながら複数枚の撮像を連続的に行う撮像動作をいう。深度合成処理とは、フォーカスブラケット撮像動作によって取得した複数の画像データを合成して一枚の画像データを生成する処理である。この深度合成処理を施すことによって、レンズの被写界深度に関わらず一画像中において被写界深度の深い画像（手前から奥まで合焦状態とした画像）を生成することができる。
【０３４２】
この深度合成処理のためのフォーカスブラケット撮像動作を行うのに際して、焦点調節を行う範囲や、焦点調節位置の変更間隔、撮像枚数を予め設定する。このうち焦点調節範囲の設定は、一端と他端の２点を指示することになる。
【０３４３】
上述のステップＳ１９４の処理にて確認する２点指示とは、この場合の焦点調節範囲の設定指示を想定している。
【０３４４】
図２９のステップＳ１９４の処理にて、一画像中に焦点調節ポイント指示点が２点存在する場合にはステップＳ２００の処理に進む。また、存在しない場合にはステップＳ１９５の処理に進む。
【０３４５】
ステップＳ２００において、システム制御部１２０は、２点間の数点（焦点調節範囲内の複数の焦点調節ポイント）をそれぞれ中心とするピクセル等倍用の第２スクリーンネイル画像を複数枚生成する。つまり、フォーカスブラケット撮像動作によって得られた複数枚の各画像に対し、それぞれの焦点調節ポイントを中心とする所定の領域の画像を、複数の第２スクリーンネイル画像として生成する。その後、一連の処理を終了して、元の処理に戻り（リターン）、図２８のステップＳ１８０の処理に進む。
【０３４６】
一方、ステップＳ１９５において、システム制御部１２０は、対象とする画像は、撮像時にオートフォーカス（ＡＦ）機構を用いて取得された画像（ＡＦ画像）であるか否かの確認を行う。ここで、ＡＦ画像である場合にはステップＳ１９６の処理に進む。また、非ＡＦ画像である（マニュアルフォーカス（ＭＦ）画像である）場合にはステップＳ１９７の処理に進む。
【０３４７】
ステップＳ１９６において、システム制御部１２０は、ＡＦポイントを中心とするピクセル等倍用の第２スクリーンネイル画像を生成する。その後、一連の処理を終了して、元の処理に戻り（リターン）、図２８のステップＳ１８０の処理に進む。
【０３４８】
一方、ステップＳ１９７において、システム制御部１２０は、撮像動作時に拡大ライブビュー表示を実行したか否かの確認を行う。一般に、マニュアルフォーカス（ＭＦ；手動焦点調節）による撮像動作時には、拡大ライブビュー表示を行って細かな焦点調節を行うことが行われるのは普通である。その場合、拡大ライブビュー表示を行った画像領域は、焦点調節ポイントを含む画像領域として規定できる。そこで、このステップＳ１９７の処理においては、ＭＦ時における拡大ライブビュー表示の有無を確認している。
【０３４９】
ここで、ステップＳ１９７の処理にて、撮像動作時に拡大ライブビュー表示が実行されている場合にはステップＳ１９８の処理に進む。また、撮像動作時に拡大ライブビュー表示が実行されていない場合にはステップＳ１９９の処理に進む。
【０３５０】
ステップＳ１９８において、システム制御部１２０は、ライブビュー拡大ポイントを中心とするピクセル等倍用の第２スクリーンネイル画像を作成する。その後、一連の処理を終了して、元の処理に戻り（リターン）、図２８のステップＳ１８０の処理に進む。
【０３５１】
ステップＳ１９９において、システム制御部１２０は、画像中央部分を中心とする所定の領域の画像をピクセル等倍用の第２スクリーンネイル画像として生成する。その後、一連の処理を終了して、元の処理に戻り（リターン）、図２８のステップＳ１８０の処理に進む。
【０３５２】
なお、図３０は、ＲＡＷ画像用スクリーンネイル作成処理のサブルーチンの変形例である。この変形例では、図２９のステップＳ１９４の処理（２点指示の確認処理）に代えて、深度合成撮像で取得した画像か否かの確認を行って、深度合成撮像による画像である場合には、Ｌサイズのスクリ−ンネイル画像を生成するようにしている点が図２９の処理とは異なる。これにより、深度合成撮像で取得した画像については、より大きな画像を用いてピントチェックを行うことができるので、より正確な焦点調節を確保した画像を作成することができる。
【０３５３】
図３０において、ステップＳ１９１，Ｓ１９２，Ｓ１９３の処理は上述の図２９と同様である。
【０３５４】
ステップＳ１９３の処理の後、ステップＳ１９４Ａにおいて、システム制御部１２０は、深度合成撮像で取得した画像か否かの確認を行う。ここで、深度合成撮像で取得した画像である場合には、ステップＳ１９２の処理に進む。また、深度合成撮像で取得した画像ではない場合には、ステップＳ１９５の処理に進む。以降の処理は、図２９と同様である。
【０３５５】
図３に戻って、ステップＳ９において、システム制御部１２０は、撮像確認操作が行われたか（撮像確認がオンされたか）否かの確認を行う。この撮像確認オン操作とは、例えば、撮像処理の直後に再生モードへと移行する操作である。ここで、撮像確認オンが確認された場合にはステップＳ１０の処理に進む。また、撮像確認オンが確認されない場合には上述のステップＳ１の処理に戻る。
【０３５６】
ステップＳ１０において、システム制御部１２０は、撮像確認処理を実行する。この撮像確認処理は、再生ボタン１１１ｆの押し下げ操作をトリガーとして再生モードへ移行した後の各種の操作に応じた処理である。その後、ステップＳ１の処理に戻り、以降の処理を繰り返す。
【０３５７】
以上説明したように上記一実施形態によれば、
複数（２つ）の表示装置１０８，１０９を具備し、これら複数の表示装置を適宜切り換えて使用することができ、撮像動作によって取得した画像データに基く画像を拡大して表示することができるように構成された撮像装置１００において、
撮像素子１０４により取得された画像に基づいて、
画像処理部１２８は当該画像を所定の拡大倍率で拡大して、
複数の表示装置１０８，１０９のうちのいずれか一方に送出する。
このとき複数の表示装置１０８，１０９のうちのいずれに画像を送出するかは、アイセンサ１１０やモニタ切換ボタン１１１ｙからの指示信号に基づいて行われるシステム制御部１２０の切り換え制御によって指定される（表示装置切換処理）。
また、複数の表示装置１０８，１０９のうちのいずれか一方を用いて表示される表示対象画像は、十字ボタン１１１ｈの左右ボタンの操作や操作ダイヤル１１１ｉの回転操作又はタッチパネルのタッチ及びスライド操作によって発生する指示信号を受けてシステム制御部１２０が変更制御を行う（表示画像変更処理＝コマ送り又はコマ戻し処理）。
【０３５８】
この構成において、複数の表示装置１０８，１０９のうちのいずれか一方での画像表示中に、表示画像の変更操作又は画像装置の切り換え操作が行われた時、これらの表示画像変更操作又は画像装置切換操作に応じて、システム制御部１２０は、ピクセル等倍の拡大倍率（第１拡大倍率）を拡大倍率系列のうちの一つの拡大倍率（第２拡大倍率）へ変更して、当該拡大倍率を指示する。
【０３５９】
このように、本実施形態の撮像装置１００においては、第１に、ピクセル等倍の拡大倍率値を拡大倍率系列の中から選択するよう構成した。
【０３６０】
したがって、これにより、画像をピクセル等倍として表示装置に表示したときに、表示対象とする画像データの画素数と表示装置の表示画素数との関係によって、縮小表示となったり、通常の１コマ表示（拡大倍率１×表示）とさほど変わらない表示となる等、拡大表示をする際の本来の主な目的であるピントチェックを行い得ない表示になってしまうことを回避できる。
【０３６１】
また、意図した表示結果とならないことから、使用者（ユーザ）が操作ミスをしたものと誤解させるようなこともない。
【０３６２】
さらに、表示対象とするコマ毎に、それぞれ対応する厳密な拡大倍率値を設定するようなことをせずに、効率的な拡大効果を得られる拡大ステップ（例えば１．４×又は２×程度の拡大ステップ）による拡大倍率系列値とするようにしている。したがって、これにより、使用者（ユーザ）は迅速にかつ無駄なく拡大表示の変更を行うことができる。
【０３６３】
また、拡大倍率系列に基づく拡大倍率の手動設定と、ピクセル等倍による拡大表示機能との親和性を考慮して拡大倍率設定を自動的に行うようにしたので、使用者（ユーザ）が設定した拡大倍率値とも矛盾がなく、拡大表示の際の違和感を生じさせることがない。
【０３６４】
本実施形態の撮像装置１００においては、第２に、ピクセル等倍の拡大倍率値において、最低拡大倍率値と最大拡大倍率値とを制限するように構成している。
【０３６５】
したがって、最低拡大倍率値を制限したことにより、拡大表示操作をしたにも関わらず、縮小表示や通常の１コマ表示（拡大倍率１×表示）とさほど変わらない表示等、ピントチェックに無意味な表示を現出させることがない。このことは、撮像時の画質モードに関わらず拡大表示操作を行ってピンチチェックを行うことができるようになる。そして、今後さらに表示装置が高精細化されても、同様に対応することができる。
【０３６６】
また、ピントチェックに適した最大拡大倍率値となるように制限したことによって、何を拡大しているのかわからないほど拡大してしまうようなことがない。さらに、最低拡大倍率値と最大拡大倍率値との制限を設けたことによって、表示画素数が異なる複数（例えば２つ）の表示装置を切り換えて使用するとき、拡大倍率が大きく変化してしまうことを抑制することができる。したがって、表示切り換えによって生じる使用者（ユーザ）の違和感を低減することができる。
【０３６７】
また、拡大倍率系列の最低拡大倍率値をピクセル等倍の拡大倍率値の最低拡大倍率値とし、拡大倍率系列の最大拡大倍率値をピクセル等倍の拡大倍率値の最大拡大倍率値とするような構成とすれば、実用上実効的な拡大倍率値と、拡大倍率ステップと、最小拡大倍率値から最大拡大倍率値までの変更手順が少なくて済む。したがって、迅速に変更操作ができる。
【０３６８】
本実施形態の撮像装置１００においては、第３に、再生モード時において拡大表示中若しくは再生コマ変更時には、ピクセル等倍の拡大倍率値の選択を禁止するように構成している。また、ピクセル等倍の拡大表示中に手動操作によって拡大倍率を変更した場合には、ピクセル等倍の拡大倍率値の選択を禁止するように構成している。
【０３６９】
したがって、再生モード時で画像表示中に表示装置が切り換わっても、使用者（ユーザ）に違和感を与えることがない。また、このとき、使用者（ユーザ）が手動操作によって拡大倍率を変更設定している場合、設定した拡大倍率値が、意図しない表示装置の切り換わりによってリセットされてしまうことがない。
【０３７０】
本実施形態の撮像装置１００においては、第４に、背面モニター１０８とＥＶＦ１０９の各表示画素数に基づいてピクセル等倍の拡大倍率値の一方若しくは両者の中間値をとってピクセル等倍の拡大倍率値とするよう構成している。
【０３７１】
これにより、表示装置の切り換えによる拡大倍率値の変化が、使用者（ユーザ）に違和感を与えてしまうことを低減することができる。
【０３７２】
例えば、背面モニター１０８やＥＶＦ１０９を用いて画像表示を行い、手動操作によって拡大倍率値を変更して画像を確認しているとき、意図せずにアイセンサ１１０が反応してしまい、その結果、表示装置の切り換えが行われて、手動設定した拡大倍率値が変更またはリセットされてしまうといった問題を解消することができる。
【０３７３】
また、メニュー設定によって、ピクセル等倍の拡大表示を行うのに優先させる表示装置を切り換えるようにすることで、背面モニター１０８とＥＶＦ１０９の一方のみしか使用しないユーザーに対しても対応できる。
【０３７４】
本実施形態の撮像装置１００においては、第５に、表示対象とする画像データの画質モードがＲＡＷ画像である場合にはスクリーンネイル画像の画素数に基づいてピクセル等倍の拡大倍率値を選択し、ＲＡＷ＋ＪＰＥＧの場合はＪＰＥＧ画像の主画像の画素数に基づいてピクセル等倍の拡大倍率値を選択するように構成している。
【０３７５】
ＲＡＷ画像であっても、適切なスクリーンネイル画像でピントチェックを行うことができる。
また、ＲＡＷ＋ＪＰＥＧ設定の場合には、ＪＰＥＧ画像の画素数を大とするように設定すれば、ＲＡＷ画像に付随するスクリーンネイル画像よりも大きな拡大倍率値でのピントチェックが可能になる。
【０３７６】
本実施形態の撮像装置１００においては、第６に、ＥＶＦ１０９を覗くとアイセンサ１１０の作用によってＥＶＦ１０９が起動してかつ撮像モードに切り換わるように（ライブビュー表示に切り換わるように）構成している。
【０３７７】
この構成により、ＥＶＦ１０９は常にライブビュー表示を行う状態、即ち撮像モードでの使用に限定されるので、背面モニター１０８からＥＶＦ１０９への切り換えが意図しないで行われた場合にも、使用者（ユーザ）に違和感を与えるようなことがない。
【０３７８】
なお、ＥＶＦ１０９にてライブビュー表示を行って、撮像動作を実行すると、直後にＥＶＦ１０９には、実行したばかりの撮像動作によって取得された画像が表示される（撮像確認画面）。しかし、このときの画像表示は、通常の１コマ表示（拡大倍率１×の表示）であって、拡大表示ではない。したがって、この撮像確認画面の表示中に、意図せずにＥＶＦ１０９から背面モニター１０８への切り換えが行われても、拡大倍率に関する表示の違和感は発生しない。
【０３７９】
以上のように、本実施形態によれば、使用感の優れた撮像装置１００とすることができる。
【０３８０】
なお、プログラムで構成した部分を適宜、回路に置き換えることも可能である。上述の一実施形態の説明中において、「部」（セクションやユニット）として記載した部分は、専用の回路や、複数の汎用の回路を組み合わせて構成してもよく、必要に応じて、予めプログラムされたソフトウェアに従って動作を行うマイコン、ＣＰＵなどのプロセッサ、あるいはＦＰＧＡなどシーケンサを組み合わせて構成されてもよい。また、その制御の一部または全部を外部の装置が引き受けるような設計も可能で、この場合、有線や無線の通信回路が介在する。通信は、ブルートゥース（登録商標）やＷｉＦｉ、電話回線などで行えばよく、ＵＳＢなどで行っても良い。専用の回路、汎用の回路や制御部を一体としてＡＳＩＣとして構成してもよい。機械的に位置制御される部位（例えば移動部など）は、様々なアクチュエータと、必要に応じて移動用の連結メカニズムによって構成されており、ドライバ回路によってアクチュエータが作動する。このドライブ回路もまた、特定のプログラムに従ってマイコンやＡＳＩＣなどが制御する。こうした制御は各種センサやその周辺回路が出力する情報によって、詳細な補正、調整などが行われても良い。
【０３８１】
また、上述の各実施形態で説明した各処理シーケンスは、その性質に反しない限り、手順の変更を許容し得る。したがって、上述の処理シーケンスに対して、例えば各処理ステップの実行順序を変更したり、複数の処理ステップを同時に実行させたり、一連の処理シーケンスを実行する毎に、各処理ステップの順序が異なるようにしてもよい。即ち、特許請求の範囲，明細書及び図面中の動作フローに関して、便宜上「まず、」、「次に、」等を用いて説明したとしても、この順で実施することが必須であることを意味するものではない。また、これらの動作フローを構成する各ステップにおいては、発明の本質に影響しない部分について適宜省略することもできることは言うまでもない。
【０３８２】
また、ここで説明した技術のうち、主にフローチャートで説明した制御や機能は、多くがソフトウエアプログラムにより設定できることが多くあり、そのソフトウエアプログラムをコンピュータが読み取り実行することで上述した制御や機能を実現することができる。そのソフトウエアプログラムは、コンピュータプログラム製品として、予め製品製造過程において上記記憶媒体や記憶部等、具体的には例えばフレキシブルディスク ＣＤ−ＲＯＭ等 不揮発性メモリ等の可搬媒体やハードディスク 揮発性メモリ等の記憶媒体に、その全体あるいは一部を記憶又は記録されている電子データである。また、これとは別に、製品出荷時又は可搬媒体或いは通信回線を介して流通又は提供ができるものである。利用者は、製品出荷後であっても、自ら通信ネットワークやインターネット等を介して、それらのソフトウエアプログラムをダウンロードしてコンピュータにインストールしたり、あるいは記憶媒体からコンピュータにインストールすることで、動作させるようにすることができ、これによって容易に本実施形態の撮像装置を実現することができる。
【０３８３】
本発明は上述した実施形態に限定されるものではなく、発明の主旨を逸脱しない範囲内において種々の変形や応用を実施することができることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。この発明は、添付のクレームによって限定される以外にはそれの特定の実施態様によって制約されない。
【符号の説明】
【０３８４】
１００……撮像装置
１０１……撮像光学系
１０３……液晶絞り装置
１０４……撮像素子
１０５……フラッシュ発光部
１０６……第１外部メモリ
１０７……第２外部メモリ
１０８……背面モニター
１０９……電子ビューファインダー
１１０……アイセンサ
１１１……操作部
１１１ａ……シャッターレリーズボタン
１１１ｂ……動作モード切換ダイヤル
１１１ｃ，１１１ｉ……操作ダイヤル
１１１ｄ……電源スイッチ
１１１ｅ……消去ボタン
１１１ｆ……再生ボタン
１１１ｇ……１１１ｇ
１１１ｈ……十字ボタン
１１１ｋ……メニューボタン
１１１ｍ……情報表示（ＩＮＦＯ）ボタン
１１１ｘ……拡大ボタン
１１１ｙ……モニタ切換ボタン
１１２……電源部
１１３……フラッシュ充電部
１２０……システム制御部
１２１……レンズ制御部
１２２……絞り制御部
１２３……液晶絞り制御部
１２４……撮像制御部
１２５……フラッシュ発光部
１２６……ＡＤ変換部
１２７……一時メモリ
１２８……画像処理部
１２９……フラッシュ制御部
１３０……不揮発性メモリ
１３１……外部インターフェース
１３２……電源制御部
１３３……ＡＦ処理部
１３４……露出制御部
１４０……外部表示装置
２００……ボディ
２０８ｓ，２０８ｚ……太枠線
２０８ｗ……拡大表示枠
２０８ｘ……倍率アイコン
２０８ｙ……ピクセル等倍アイコン
３００……レンズ鏡筒
４００……被写体
【図１】
2020010117.tif 000003
【図２】
2020010117.tif 000004
【図３】
2020010117.tif 000005
【図４】
2020010117.tif 000006
【図５】
2020010117.tif 000007
【図６】
2020010117.tif 000008
【図７】
2020010117.tif 000009
【図８】
2020010117.tif 000010
【図９】
2020010117.tif 000011
【図１０】
2020010117.tif 000012
【図１１】
2020010117.tif 000013
【図１２】
2020010117.tif 000014
【図１３】
2020010117.tif 000015
【図１４】
2020010117.tif 000016
【図１５】
2020010117.tif 000017
【図１６】
2020010117.tif 000018
【図１７】
2020010117.tif 000019
【図１８】
2020010117.tif 000020
【図１９】
2020010117.tif 000021
【図２０】
2020010117.tif 000022
【図２１】
2020010117.tif 000023
【図２２】
2020010117.tif 000024
【図２３】
2020010117.tif 000025
【図２４】
2020010117.tif 000026
【図２５】
2020010117.tif 000027
【図２６】
2020010117.tif 000028
【図２７】
2020010117.tif 000029
【図２８】
2020010117.tif 000030
【図２９】
2020010117.tif 000031
【図３０】
2020010117.tif 000032
【図３１】
2020010117.tif 000033
【図３２】
2020010117.tif 000034
【図３３】
2020010117.tif 000035
【図３４】
2020010117.tif 000036
【図３５】
2020010117.tif 000037
【図３６】
2020010117.tif 000038
【図３７】
2020010117.tif 000039